(57)【要約】【課題】ＭＩＭＯについてのマルチチャネルおよびデータストリームの動的割り当てのための方法および装置を提供する。【解決手段】ＳＴＡは、ＡＰから、時間オフセット、チャネルオフセット、アンテナ／セクタ設定を含むＥＰｏｌｌフレームを受信し、受信されたＥＰｏｌｌフレームに基づいて、ＭＩＭＯ制御フィールドおよびマルチチャネル制御フィールドを含むＥＳＰＲフレームを送信してもよい。ＭＩＭＯ制御フィールドは、ＳＴＡがＭＩＭＯ送信をサポートするかどうかを示してもよい。マルチチャネル制御フィールドは、ＳＴＡがマルチチャネル送信をサポートするかどうかを示してもよい。ＥＳＰＲフレームを送信すると、ＳＴＡは、ＡＰから拡張許可フレームを受信してもよい。拡張許可フレームは、ＳＴＡがＭＩＭＯ送信およびマルチチャネル送信を実行することを可能にするアンテナ構成およびマルチチャネル割り当てを含んでもよい。【選択図】図２４
2020174377.tif 000002
【特許請求の範囲】
【請求項１】
米国電気電子技術者協会（ＩＥＥＥ）８０２．１１ステーション（ＳＴＡ）における使用のための方法であって、
アクセスポイント（ＡＰ）から、時間オフセットを示す応答オフセットフィールドを含むポールフレームを受信するステップと、
前記ポールフレームにおける前記応答オフセットフィールドに基づいて、マルチチャネル送信についてのサポートを示すマルチチャネル制御フィールドを含むサービス期間要求（ＳＰＲ）フレームを送信するステップと、
前記ＡＰから、前記ＳＴＡが多入力多出力（ＭＩＭＯ）、マルチチャネル送信を実行することを可能にする、アンテナ構成およびマルチチャネル割り当てを含む許可フレームを受信するステップと
を備えたことを特徴とする方法。
【請求項２】
前記ＳＰＲフレームは、ＭＩＭＯ送信についてのサポートを示すＭＩＭＯ制御フィールドを更に含み、前記ＭＩＭＯ制御フィールドは、前記ＭＩＭＯ送信において送信されることになるデータストリームの数を示す、データストリーム数サブフィールドを含むことを特徴とする請求項１に記載の方法。
【請求項３】
前記マルチチャネル制御フィールドは、前記マルチチャネル送信におけるチャネルアグリゲーションまたはチャネルボンディングについてのサポートを示すチャネルアグリゲーションサブフィールドを更に含むことを特徴とする請求項１に記載の方法。
【請求項４】
前記許可フレームは、マルチユーザＭＩＭＯ制御フィールド、シングルユーザＭＩＭＯ制御フィールド、および動的割り当て情報フィールドを更に含むことを特徴とする請求項１に記載の方法。
【請求項５】
前記ポールフレームは、チャネル情報、アンテナ情報、およびセクタ情報を更に含むことを特徴とする請求項１に記載の方法。
【請求項６】
前記ＳＰＲフレームは、前記チャネル情報において示されるチャネルオフセットに基づいて、単一または複数のデータストリームと共に送信される物理レイヤ（ＰＨＹ）プロトコルデータユニット（ＰＰＤＵ）において搬送されることを特徴とする請求項５に記載の方法。
【請求項７】
前記ＰＰＤＵは、前記アンテナ情報または前記セクタ情報において示されるアンテナおよびセクタ設定に基づいて、準全方向またはビーム形成された方向を使用して送信されることを特徴とする請求項６に記載の方法。
【請求項８】
前記許可フレームは、レガシ許可フレームおよび前記レガシ許可フレームに付加された制御トレーラを更に含むことを特徴とする請求項１に記載の方法。
【請求項９】
前記アンテナ構成および前記マルチチャネル割り当ては、前記制御トレーラにおいて搬送されることを特徴とする請求項８に記載の方法。
【請求項１０】
前記ＡＰは、パーソナル基本サービスセット（ＰＢＳＳ）制御ポイント（ＰＣＰ）／アクセスポイント（ＡＰ）であることを特徴とする請求項１に記載の方法。
【請求項１１】
米国電気電子技術者協会（ＩＥＥＥ）８０２．１１ステーション（ＳＴＡ）であって、
アクセスポイント（ＡＰ）から、時間オフセットを示す応答オフセットフィールドを含むポールフレームを受信するように構成された受信機と、
前記ポールフレームにおける前記応答オフセットフィールドに基づいて、マルチチャネル送信についてのサポートを示すマルチチャネル制御フィールドを含むサービス期間要求（ＳＰＲ）フレームを送信するように構成された送信機と、
前記ＡＰから、前記ＳＴＡが多入力多出力（ＭＩＭＯ）、マルチチャネル送信を実行することを可能にする、アンテナ構成およびマルチチャネル割り当てを含む許可フレームを受信するように更に構成された前記受信機と
を備えたことを特徴とするＳＴＡ。
【請求項１２】
前記ＳＰＲフレームは、ＭＩＭＯ送信についてのサポートを示すＭＩＭＯ制御フィールドを更に含み、前記ＭＩＭＯ制御フィールドは、前記ＭＩＭＯ送信において送信されることになるデータストリームの数を示す、データストリーム数サブフィールドを含むことを特徴とする請求項１１に記載のＳＴＡ。
【請求項１３】
前記マルチチャネル制御フィールドは、前記マルチチャネル送信におけるチャネルアグリゲーションまたはチャネルボンディングについてのサポートを示すチャネルアグリゲーションサブフィールドを更に含むことを特徴とする請求項１１に記載のＳＴＡ。
【請求項１４】
前記許可フレームは、マルチユーザＭＩＭＯ制御フィールド、シングルユーザＭＩＭＯ制御フィールド、および動的割り当て情報フィールドを更に含むことを特徴とする請求項１１に記載のＳＴＡ。
【請求項１５】
前記ポールフレームは、チャネル情報、アンテナ情報、およびセクタ情報を更に含むことを特徴とする請求項１１に記載のＳＴＡ。
【請求項１６】
前記ＳＰＲフレームは、前記チャネル情報において示されるチャネルオフセットに基づいて、単一または複数のデータストリームと共に送信される物理レイヤ（ＰＨＹ）プロトコルデータユニット（ＰＰＤＵ）において搬送されることを特徴とする請求項１５に記載のＳＴＡ。
【請求項１７】
前記ＰＰＤＵは、前記アンテナ情報または前記セクタ情報において示されるアンテナおよびセクタ設定に基づいて、準全方向またはビーム形成された方向を使用して送信されることを特徴とする請求項１６に記載のＳＴＡ。
【請求項１８】
前記許可フレームは、レガシ許可フレームおよび前記レガシ許可フレームに付加された制御トレーラを更に含むことを特徴とする請求項１１に記載のＳＴＡ。
【請求項１９】
前記アンテナ構成および前記マルチチャネル割り当ては、前記制御トレーラにおいて搬送されることを特徴とする請求項１８に記載のＳＴＡ。
【請求項２０】
前記ＡＰは、パーソナル基本サービスセット（ＰＢＳＳ）制御ポイント（ＰＣＰ）／アクセスポイント（ＡＰ）であることを特徴とする請求項１１に記載のＳＴＡ。
【発明の詳細な説明】
【技術分野】
【０００１】
本開示は、無線通信の分野に関し、特に、指向送信のための拡張（enhanced dynamic allocation）動的割り当てのための方法および装置に関する。
【背景技術】
【０００２】
本出願は、２０１６年１１月３日に出願された米国特許仮出願第６２／４１７，０６３号明細書の利益を主張するものであり、その内容は、参照によって本明細書に組み込まれている。
【０００３】
米国電気電子技術者協会（ＩＥＥＥ）８０２．１１ａｄ標準は、６０ＧＨｚ帯域における超高スループット（ＶＨＴ）のための媒体アクセス制御（ＭＡＣ）および物理（ＰＨＹ）レイヤを指定している。それは、認可されていない６０ＧＨｚ周波数帯域にわたって動作して、デバイスがマルチギガビット／秒の速度において無線で通信することを可能にする。たとえば、ユーザは、数秒で４Ｋビデオをダウンロードおよび共有すること、ならびにほぼリアルタイムでフォトアルバムを同期することおよびクラウドコンテンツにアクセスすることが可能である。加えて、８０２．１１ａｄ標準を可能にするデバイスは、コンパクトアンテナまたはアンテナアレイ（たとえば、最大で３２個のアンテナ）を搭載されることが可能であり、それによって、特定のユーザデバイスに向かって焦点を合わせる非常に狭いビームを動的に作成することが可能である。この種類の指向性マルチギガビット（ＤＭＧ：directional multi-gigabit）データ送信に関して、８０２．１１ａｄ標準は、ほぼリアルタイムのデータ送信（たとえば、最大で７Ｇｂｉｔ／ｓ）をユーザに対して可能にするチャネルアクセススキームを定義している。しかしながら、このスキームは、単一のチャネル上での単一のデータストリームの送信に限定される。それは、マルチチャネル送信および複数のデータストリームの送信、たとえば多入力多出力（ＭＩＭＯ）をサポートしていない。したがって、動作チャネルおよびデータストリームを複数のチャネルの送信およびＭＩＭＯに動的に割り当てる方法および装置を有することが望ましいであろう。
【発明の概要】
【０００４】
マルチチャネル送信および多入力多出力（ＭＩＭＯ）をサポートする複数のチャネルおよびデータストリームの動的割り当てのための方法および装置が、本明細書において記述されている。たとえば、米国電気電子技術者協会（ＩＥＥＥ）８０２．１１ステーション（ＳＴＡ）は、アクセスポイント（ＡＰ）からポール（Ｐｏｌｌ）フレームを受信することが可能である。Ｐｏｌｌフレームは、ＭＩＭＯおよびマルチチャネル送信を可能にするための時間オフセット、チャネルオフセット、およびアンテナ／セクタ設定を含むことが可能である。受信されたＰｏｌｌフレームに基づいて、ＳＴＡは、ＭＩＭＯ制御フィールドおよびマルチチャネル制御フィールドを含むサービス期間要求（ＳＰＲ：service period request）フレームを送信することが可能である。ＭＩＭＯ制御フィールドは、ＳＴＡがＭＩＭＯ送信をサポートしているかどうかを示すことが可能である。マルチチャネル制御フィールドは、ＳＴＡがマルチチャネル送信をサポートしているかどうかを示すことが可能である。ＳＰＲフレームは、マルチユーザ／シングルユーザ（ＭＵ／ＳＵ）フィールドおよび動的割り当て情報フィールドをさらに含むことが可能である。ＳＰＲフレームを送信すると、ＳＴＡは、ＡＰから許可フレームを受信することが可能である。許可フレームは、ＭＩＭＯ送信およびマルチチャネル送信をＳＴＡが実行することを可能にするためのアンテナ構成およびマルチチャネル割り当てを含むことが可能である。
【０００５】
例として添付の図面とともに与えられている以降の説明から、より詳細な理解が得られることが可能である。
【図面の簡単な説明】
【０００６】
【図１Ａ】１つまたは複数の開示されている実施形態が実施されることが可能である例示的な通信システムを示すシステム図である。
【図１Ｂ】実施形態による、図１Ａにおいて示されている通信システム内で使用されることが可能である例示的な無線送信／受信ユニット（ＷＴＲＵ）を示すシステム図である。
【図１Ｃ】実施形態による、図１Ａにおいて示されている通信システム内で使用されることが可能である例示的な無線アクセスネットワーク（ＲＡＮ）および例示的なコアネットワーク（ＣＮ）を示すシステム図である。
【図１Ｄ】実施形態による、図１Ａにおいて示されている通信システム内で使用されることが可能であるさらなる例示的なＲＡＮおよびさらなる例示的なＣＮを示すシステム図である。
【図２】例示的な物理レイヤ（ＰＨＹ）プロトコルデータユニット（ＰＰＤＵ）フォーマットを示す図である。
【図３】例示的な指向性マルチギガビット（ＤＭＧ）チャネルアクセススキームを示す図である。
【図４】サービス期間の例示的な動的割り当てを示す図である。
【図５】例示的なポール（Ｐｏｌｌ）フレームフォーマットを示す図である。
【図６】例示的なサービス期間要求（ＳＰＲ）フレームフォーマットを示す図である。
【図７】例示的な許可フレームフォーマットを示す図である。
【図８Ａ】ＷＬＡＮにおける例示的なチャネルボンディングデータ送信を示す図である。
【図８Ｂ】ＷＬＡＮにおける別の例示的なチャネルボンディングデータ送信を示す図である。
【図９】ＩＥＥＥ８０２．１１ａｙにおける例示的なチャネライゼーションを示す図である。
【図１０】第１の例示的な拡張ポールおよび要求手順を示す図である。
【図１１】第２の例示的な拡張ポールおよび要求手順を示す図である。
【図１２】第３の例示的な拡張ポールおよび要求手順を示す図である。
【図１３】拡張ポール（ＥＰｏｌｌ）および拡張ＳＰＲ（ＥＳＰＲ）フレームの前にレガシＰｏｌｌおよびＳＰＲフレームが実行される例示的な拡張ポールおよび要求手順を示す図である。
【図１４】拡張ポーリングおよび許可期間の前にレガシポーリング期間および許可期間が実行される例示的な拡張ポール要求手順を示す図である。
【図１５】同時レガシおよび拡張ポール送信を伴う例示的な拡張ポールおよび要求手順を示す図である。
【図１６】同時レガシＰｏｌｌ／ＳＰＲおよびＥＰｏｌｌ／ＥＳＰＲ送信を伴う例示的な拡張ポールおよび要求手順を示す図である。
【図１７】非対称チャネル割り当てを伴う例示的な拡張ポールおよび要求手順を示す図である。
【図１８】複数のチャネル上での動的なサービス期間（ＳＰ）割り当ての例を示す図である。
【図１９】第１の例示的な許可手順を示す図である。
【図２０】第２の例示的な許可手順の図である。
【図２１】拡張許可期間（ｅＧＰ：enhanced grant period）および対応するダウンリンク（ＤＬ）データ転送期間内での例示的な下位互換送信を示す図である。
【図２２】ｅＧＰおよび対応するアップリンク（ＵＬ）データ転送期間内での例示的な下位互換送信を示す図である。
【図２３】制御トレーラを使用したｅＧＰ内での例示的な下位互換送信を示す図である。
【図２４】ＭＩＭＯおよびマルチチャネル送信のための例示的な動的割り当て手順を示す図である。
【発明を実施するための形態】
【０００７】
図１Ａは、１つまたは複数の開示されている実施形態が実施されることが可能である例示的な通信システム１００を示す図である。通信システム１００は、コンテンツ、たとえば、音声、データ、ビデオ、メッセージング、放送などを複数の無線ユーザに提供する多元接続システムであることが可能である。通信システム１００は、複数の無線ユーザが、無線帯域幅を含むシステムリソースの共有を通じてそのようなコンテンツにアクセスすることを可能にすることが可能である。たとえば、通信システム１００は、１つまたは複数のチャネルアクセス方法、たとえば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ−Ｓｐｒｅａｄ  ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などを採用することが可能である。
【０００８】
図１Ａにおいて示されているように、通信システム１００は、無線送信／受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０、およびその他のネットワーク１１２を含むことが可能であるが、開示されている実施形態は、任意の数のＷＴＲＵ、基地局、ネットワーク、および／またはネットワーク要素を想定していることが理解されるであろう。ＷＴＲＵ１０２ａ、１０２ｂ、１０２ｃ、１０２ｄのそれぞれは、無線環境において動作および／または通信するように構成されている任意のタイプのデバイスであることが可能である。例として、ＷＴＲＵ１０２ａ、１０２ｂ、１０２ｃ、１０２ｄ（これらのいずれも、「ステーション」および／または「ＳＴＡ」と呼ばれることが可能である）は、無線信号を送信および／または受信するように構成されることが可能であり、ユーザ機器（ＵＥ）、移動局、固定式または移動式の加入者ユニット、サブスクリプションベースユニット、ページャー、セルラー電話、携帯情報端末（ＰＤＡ）、スマートフォン、ラップトップ、ネットブック、パーソナルコンピュータ、無線センサ、ホットスポットまたはＭｉ−Ｆｉデバイス、インターネットオブシングス（ＩｏＴ）デバイス、腕時計またはその他のウェアラブル、ヘッドマウントディスプレイ（ＨＭＤ）、乗り物、ドローン、医療デバイスおよびアプリケーション（たとえば、遠隔手術）、工業デバイスおよびアプリケーション（たとえば、工業および／または自動化された処理チェーンのコンテキストにおいて動作するロボットおよび／またはその他の無線デバイス）、家庭用電子機器、商業および／または工業無線ネットワーク上で動作するデバイスなどを含むことが可能である。ＷＴＲＵ１０２ａ、１０２ｂ、１０２ｃ、および１０２ｄのいずれも、ＵＥと言い換え可能に呼ばれることが可能である。
【０００９】
通信システム１００は、基地局１１４ａおよび／または基地局１１４ｂを含むことも可能である。基地局１１４ａ、１１４ｂのそれぞれは、１つまたは複数の通信ネットワーク、たとえば、ＣＮ１０６／１１５、インターネット１１０、および／またはその他のネットワーク１１２へのアクセスを容易にするために、ＷＴＲＵ１０２ａ、１０２ｂ、１０２ｃ、１０２ｄのうちの少なくとも１つと無線にインタフェース接続するように構成されている任意のタイプのデバイスであることが可能である。例として、基地局１１４ａ、１１４ｂは、ベーストランシーバステーション（ＢＴＳ）、Ｎｏｄｅ−Ｂ、ｅＮｏｄｅＢ、ホームＮｏｄｅＢ、ホームｅＮｏｄｅＢ、ｇＮＢ、ＮＲ  ＮｏｄｅＢ、サイトコントローラ、アクセスポイント（ＡＰ）、無線ルータなどであることが可能である。基地局１１４ａ、１１４ｂは、それぞれ単一の要素として示されているが、基地局１１４ａ、１１４ｂは、任意の数の相互接続された基地局および／またはネットワーク要素を含むことが可能であることが理解されるであろう。
【００１０】
基地局１１４ａは、ＲＡＮ１０４／１１３の一部であることが可能であり、ＲＡＮ１０４／１１３は、その他の基地局および／またはネットワーク要素（図示せず）、たとえば、基地局コントローラ（ＢＳＣ）、無線ネットワークコントローラ（ＲＮＣ）、中継ノードなどを含むことも可能である。基地局１１４ａおよび／または基地局１１４ｂは、１つまたは複数のキャリア周波数上で無線信号を送信および／または受信するように構成されることが可能であり、それらのキャリア周波数は、セル（図示せず）と呼ばれることが可能である。これらの周波数は、認可されたスペクトル、認可されていないスペクトル、またはラ認可されたスペクトルと、認可されていないスペクトルとの組合せであることが可能である。セルは、比較的固定されることが可能である、または時間とともに変わることが可能である特定の地理的エリアへの無線サービスのためのカバレッジを提供することが可能である。セルは、セルセクタへとさらに分割されることが可能である。たとえば、基地局１１４ａに関連付けられているセルは、３つのセクタへと分割されることが可能である。したがって一実施形態においては、基地局１１４ａは、３つの送受信機、すなわち、セルのそれぞれのセクタごとに１つの送受信機を含むことが可能である。実施形態においては、基地局１１４ａは、多入力多出力（ＭＩＭＯ）技術を採用することが可能であり、セルのそれぞれのセクタごとに複数の送受信機を利用することが可能である。たとえば、所望の空間方向において信号を送信および／または受信するためにビームフォーミングが使用されることが可能である。
【００１１】
基地局１１４ａ、１１４ｂは、エアインタフェース１１６を介してＷＴＲＵ１０２ａ、１０２ｂ、１０２ｃ、１０２ｄのうちの１つまたは複数と通信することが可能であり、エアインタフェース１１６は、任意の適切な無線通信リンク（たとえば、無線周波数（ＲＦ）、マイクロ波、センチメートル波、マイクロメートル波、赤外線（ＩＲ）、紫外線（ＵＶ）、可視光など）であることが可能である。エアインタフェース１１６は、任意の適切な無線アクセス技術（ＲＡＴ）を使用して確立されることが可能である。
【００１２】
より具体的には、上述されているように、通信システム１００は、多元接続システムであることが可能であり、１つまたは複数のチャネルアクセススキーム、たとえば、ＣＤＭＡ、ＴＤＭＡ、ＦＤＭＡ、ＯＦＤＭＡ、ＳＣ−ＦＤＭＡなどを採用することが可能である。たとえば、ＲＡＮ１０４／１１３における基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線技術を実施することが可能であり、この無線技術は、ワイドバンドＣＤＭＡ（ＷＣＤＭＡ）を使用してエアインタフェース１１５／１１６／１１７を確立することが可能である。ＷＣＤＭＡは、高速パケットアクセス（ＨＳＰＡ）および／または発展型ＨＳＰＡ（ＨＳＰＡ＋）などの通信プロトコルを含むことが可能である。ＨＳＰＡは、高速ダウンリンク（ＤＬ）パケットアクセス（ＨＳＤＰＡ）および／または高速ＵＬパケットアクセス（ＨＳＵＰＡ）を含むことが可能である。
【００１３】
実施形態においては、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインタフェース１１６を確立することが可能である発展型ＵＭＴＳテレストリアルラジオアクセス（Ｅ−ＵＴＲＡ）などの無線技術を実施することが可能である。
【００１４】
実施形態においては、基地局１１４ａおよびＷＴＲＵ１０２ａ、１０２ｂ、１０２ｃは、新無線（ＮＲ）を使用してエアインタフェース１１６を確立することが可能であるＮＲ無線アクセスなどの無線技術を実施することが可能である。
【００１５】
実施形態においては、基地局１１４ａおよびＷＴＲＵ１０２ａ、１０２ｂ、１０２ｃは、複数の無線アクセス技術を実施することが可能である。たとえば、基地局１１４ａおよびＷＴＲＵ１０２ａ、１０２ｂ、１０２ｃは、たとえばデュアル接続（ＤＣ）原理を使用して、ＬＴＥ無線アクセスおよびＮＲ無線アクセスをともに実施することが可能である。したがって、ＷＴＲＵ１０２ａ、１０２ｂ、１０２ｃによって利用されるエアインタフェースは、複数のタイプの無線アクセス技術、および／または複数のタイプの基地局（たとえば、ｅＮＢおよびｇＮＢ）へ／から送られる送信によって特徴付けられることが可能である。
【００１６】
その他の実施形態においては、基地局１１４ａおよびＷＴＲＵ１０２ａ、１０２ｂ、１０２ｃは、無線技術、たとえば、ＩＥＥＥ８０２．１１（すなわち、無線フィディリティー（ＷｉＦｉ）、ＩＥＥＥ８０２．１６（すなわち、ワールドワイドインターオペラビリティーフォーマイクロウェーブアクセス（ＷｉＭＡＸ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ）、エンハンストデータレートフォーＧＳＭエボリューション（ＥＤＧＥ）、ＧＳＭ  ＥＤＧＥ（ＧＥＲＡＮ）などを実施することが可能である。
【００１７】
図１Ａにおける基地局１１４ｂは、たとえば、無線ルータ、ホームＮｏｄｅＢ、ホームｅＮｏｄｅＢ、またはアクセスポイントであることが可能であり、局所的なエリア、たとえば、事業所、家庭、乗り物、キャンパス、工業施設、空中回廊（たとえば、ドローンによる使用のための）、車道などにおける無線接続を容易にするために、任意の適切なＲＡＴを利用することが可能である。一実施形態においては、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実施することが可能である。実施形態においては、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実施することが可能である。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することが可能である。図１Ａにおいて示されているように、基地局１１４ｂは、インターネット１１０への直接接続を有することが可能である。したがって基地局１１４ｂは、ＣＮ１０６／１１５を介してインターネット１１０にアクセスすることを求められないことが可能である。
【００１８】
ＲＡＮ１０４／１１３は、ＣＮ１０６／１１５と通信状態にあることが可能であり、ＣＮ１０６／１１５は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成されている任意のタイプのネットワークであることが可能である。データは、さまざまなサービス品質（ＱｏＳ）要件、たとえば、別々のスループット要件、待ち時間要件、エラー許容範囲要件、信頼性要件、データスループット要件、モビリティ要件などを有することが可能である。ＣＮ１０６／１１５は、コール制御、料金請求サービス、モバイルロケーションベースサービス、プリペイドコーリング、インターネット接続、ビデオ配信などを提供すること、および／またはハイレベルセキュリティー機能、たとえばユーザ認証を実行することが可能である。図１Ａにおいては示されていないが、ＲＡＮ１０４／１１３および／またはＣＮ１０６／１１５は、ＲＡＮ１０４／１１３と同じＲＡＴまたは異なるＲＡＴを採用しているその他のＲＡＮと直接または間接の通信状態にあることが可能であることが理解されるであろう。たとえば、ＣＮ１０６／１１５は、ＮＲ無線技術を利用していることが可能であるＲＡＮ１０４／１１３に接続されていることに加えて、ＧＳＭ、ＵＭＴＳ、ＣＤＭＡ２０００、ＷｉＭＡＸ、Ｅ−ＵＴＲＡ、またはＷｉＦｉ無線技術を採用している別のＲＡＮ（図示せず）と通信状態にあることも可能である。
【００１９】
ＣＮ１０６／１１５は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすことも可能である。ＰＳＴＮ１０８は、単純旧式電話サービス（ＰＯＴＳ）を提供する回線交換電話ネットワークを含むことが可能である。インターネット１１０は、一般的な通信プロトコル、たとえば、トランスミッション制御プロトコル（ＴＣＰ）／インターネットプロトコル（ＩＰ）インターネットプロトコルスイートにおけるＴＣＰ、ユーザデータグラムプロトコル（ＵＤＰ）、および／またはＩＰを使用する相互接続されたコンピュータネットワークおよびデバイスからなるグローバルシステムを含むことが可能である。ネットワーク１１２は、その他のサービスプロバイダによって所有および／または運営されている有線通信ネットワークおよび／または無線通信ネットワークを含むことが可能である。たとえば、ネットワーク１１２は、ＲＡＮ１０４／１１３と同じＲＡＴまたは異なるＲＡＴを採用することが可能である１つまたは複数のＲＡＮに接続されている別のＣＮを含むことが可能である。
【００２０】
通信システム１００におけるＷＴＲＵ１０２ａ、１０２ｂ、１０２ｃ、１０２ｄのうちのいくつかまたはすべては、マルチモード機能を含むことが可能である（たとえば、ＷＴＲＵ１０２ａ、１０２ｂ、１０２ｃ、１０２ｄは、別々の無線リンクを介して別々の無線ネットワークと通信するために複数の送受信機を含むことが可能である）。たとえば、図１Ａにおいて示されているＷＴＲＵ１０２ｃは、セルラーベースの無線技術を採用することが可能である基地局１１４ａと、およびＩＥＥＥ８０２無線技術を採用することが可能である基地局１１４ｂと通信するように構成されることが可能である。
【００２１】
図１Ｂは、例示的なＷＴＲＵ１０２を示すシステム図である。図１Ｂにおいて示されているように、ＷＴＲＵ１０２は、数ある中でも、プロセッサ１１８、送受信機１２０、送信／受信要素１２２、スピーカ／マイクロフォン１２４、キーパッド１２６、ディスプレイ／タッチパッド１２８、取り外し不能メモリ１３０、取り外し可能メモリ１３２、電源１３４、グローバルポジショニングシステム（ＧＰＳ）チップセット１３６、および／またはその他の周辺機器１３８を含むことが可能である。ＷＴＲＵ１０２は、実施形態との整合性を保持しながら、上述の要素の任意の下位組合せを含むことが可能であることが理解されるであろう。
【００２２】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアに関連付けられている１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、状態マシンなどであることが可能である。プロセッサ１１８は、信号コーディング、データ処理、パワー制御、入力／出力処理、および／または、ＷＴＲＵ１０２が無線環境において動作することを可能にするその他の任意の機能を実行することが可能である。プロセッサ１１８は、送受信機１２０に結合されることが可能であり、送受信機１２０は、送信／受信要素１２２に結合されることが可能である。図１Ｂは、プロセッサ１１８および送受信機１２０を別々の構成要素として示しているが、プロセッサ１１８および送受信機１２０は、電子パッケージまたはチップにおいてともに統合されることが可能であることが理解されるであろう。
【００２３】
送信／受信要素１２２は、エアインタフェース１１６を介して、基地局（たとえば、基地局１１４ａ）に信号を送信するように、または基地局（たとえば、基地局１１４ａ）から信号を受信するように構成されることが可能である。たとえば、一実施形態においては、送信／受信要素１２２は、ＲＦ信号を送信および／または受信するように構成されているアンテナであることが可能である。実施形態においては、送信／受信要素１２２は、たとえば、ＩＲ信号、ＵＶ信号、または可視光信号を送信および／または受信するように構成されているエミッタ／検知器であることが可能である。さらに別の実施形態においては、送信／受信要素１２２は、ＲＦ信号および光信号の両方を送信および／または受信するように構成されることが可能である。送信／受信要素１２２は、無線信号の任意の組合せを送信および／または受信するように構成されることが可能であることが理解されるであろう。
【００２４】
送信／受信要素１２２は、図１Ｂにおいては単一の要素として示されているが、ＷＴＲＵ１０２は、任意の数の送信／受信要素１２２を含むことが可能である。より具体的には、ＷＴＲＵ１０２は、ＭＩＭＯ技術を採用することが可能である。したがって、一実施形態においては、ＷＴＲＵ１０２は、エアインタフェース１１６を介して無線信号を送信および受信するために、２つ以上の送信／受信要素１２２（たとえば、複数のアンテナ）を含むことが可能である。
【００２５】
送受信機１２０は、送信／受信要素１２２によって送信されることになる信号を変調するように、および送信／受信要素１２２によって受信される信号を復調するように構成されることが可能である。上述されているように、ＷＴＲＵ１０２は、マルチモード機能を有することが可能である。したがって送受信機１２０は、ＷＴＲＵ１０２が、たとえばＮＲおよびＩＥＥＥ８０２．１１などの複数のＲＡＴを介して通信することを可能にするために複数の送受信機を含むことが可能である。
【００２６】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットもしくは有機発光ダイオード（ＯＬＥＤ）ディスプレイユニット）に結合されることが可能であり、そこからユーザ入力データを受信することが可能である。プロセッサ１１８は、ユーザデータをスピーカ／マイクロフォン１２４、キーパッド１２６、および／またはディスプレイ／タッチパッド１２８へ出力することも可能である。加えて、プロセッサ１１８は、任意のタイプの適切なメモリ、たとえば、取り外し不能メモリ１３０および／または取り外し可能メモリ１３２からの情報にアクセスすること、およびそれらのメモリにデータを記憶することが可能である。取り外し不能メモリ１３０は、ランダムアクセスメモリ（ＲＡＭ）、リードオンリメモリ（ＲＯＭ）、ハードディスク、またはその他の任意のタイプのメモリストレージデバイスを含むことが可能である。取り外し可能メモリ１３２は、加入者識別モジュール（ＳＩＭ）カード、メモリスティック、セキュアデジタル（ＳＤ）メモリカードなどを含むことが可能である。その他の実施形態においては、プロセッサ１１８は、ＷＴＲＵ１０２上に物理的に配置されていない、たとえば、サーバまたはホームコンピュータ（図示せず）上のメモリからの情報にアクセスすること、およびそのメモリにデータを記憶することが可能である。
【００２７】
プロセッサ１１８は、電源１３４から電力を受け取ることが可能であり、ＷＴＲＵ１０２におけるその他の構成要素への電力を分配および／または制御するように構成されることが可能である。電源１３４は、ＷＴＲＵ１０２に電力供給するための任意の適切なデバイスであることが可能である。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことが可能である。
【００２８】
プロセッサ１１８は、ＧＰＳチップセット１３６に結合されることも可能であり、ＧＰＳチップセット１３６は、ＷＴＲＵ１０２の現在の位置に関する位置情報（たとえば、経度および緯度）を提供するように構成されることが可能である。ＷＴＲＵ１０２は、ＧＰＳチップセット１３６からの情報に加えて、またはその情報の代わりに、基地局（たとえば、基地局１１４ａ、１１４ｂ）からエアインタフェース１１６を介して位置情報を受信すること、および／または２つ以上の近隣の基地局から受信されている信号のタイミングに基づいてその位置を決定することが可能である。ＷＴＲＵ１０２は、実施形態との整合性を保持しながら、任意の適切な位置決定方法を通じて位置情報を取得することが可能であることが理解されるであろう。
【００２９】
プロセッサ１１８は、その他の周辺機器１３８にさらに結合されることが可能であり、その他の周辺機器１３８は、さらなる特徴、機能性、および／または有線接続もしくは無線接続を提供する１つまたは複数のソフトウェアモジュールおよび／またはハードウェアモジュールを含むことが可能である。たとえば、周辺機器１３８は、加速度計、ｅコンパス、衛星送受信機、デジタルカメラ（写真および／またはビデオ用）、ユニバーサルシリアルバス（ＵＳＢ）ポート、振動デバイス、テレビジョン送受信機、ハンドフリーヘッドセット、Ｂｌｕｅｔｏｏｔｈ（登録商標）モジュール、周波数変調（ＦＭ）ラジオユニット、デジタルミュージックプレイヤ、メディアプレイヤ、ビデオゲームプレイヤモジュール、インターネットブラウザ、仮想現実および／または拡張現実（ＶＲ／ＡＲ）デバイス、アクティビティトラッカなどを含むことが可能である。周辺機器１３８は、１つまたは複数のセンサを含むことが可能であり、それらのセンサは、ジャイロスコープ、加速度計、ホール効果センサ、磁力計、方位センサ、近接センサ、温度センサ、時間センサ、地理的位置センサ、高度計、光センサ、タッチセンサ、磁力計、バロメータ、ジェスチャセンサ、バイオメトリックセンサ、および／または湿度センサのうちの１つまたは複数であることが可能である。
【００３０】
ＷＴＲＵ１０２は、（たとえば、ＵＬ（たとえば、送信用）およびダウンリンク（たとえば、受信用）の両方に関して特定のサブフレームに関連付けられている）信号のうちのいくつかまたはすべての送信および受信が同時であることが可能である全二重無線機を含むことが可能である。全二重無線機は、ハードウェア（たとえば、チョーク）、またはプロセッサを介した（たとえば、別個のプロセッサ（図示せず）もしくはプロセッサ１１８を介した）信号処理を介して自己干渉を低減するおよび／または実質的になくすための干渉管理ユニット１３９を含むことが可能である。実施形態においては、ＷＴＲＵ１０２は、（たとえば、ＵＬ（たとえば、送信用）またはダウンリンク（たとえば、受信用）のいずれかに関して特定のサブフレームに関連付けられている）信号のうちのいくつかまたはすべての送信および受信のための半二重無線機を含むことが可能である。
【００３１】
図１Ｃは、実施形態によるＲＡＮ１０４およびＣＮ１０６を示すシステム図である。上述されているように、ＲＡＮ１０４は、エアインタフェース１１６を介してＷＴＲＵ１０２ａ、１０２ｂ、１０２ｃと通信するためにＥ−ＵＴＲＡ無線技術を採用することが可能である。ＲＡＮ１０４は、ＣＮ１０６と通信状態にあることも可能である。
【００３２】
ＲＡＮ１０４は、ｅＮｏｄｅ−Ｂ１６０ａ、１６０ｂ、１６０ｃを含むことが可能であるが、ＲＡＮ１０４は、実施形態との整合性を保持しながら、任意の数のｅＮｏｄｅ−Ｂを含むことが可能であることが理解されるであろう。ｅＮｏｄｅ−Ｂ１６０ａ、１６０ｂ、１６０ｃはそれぞれ、エアインタフェース１１６を介してＷＴＲＵ１０２ａ、１０２ｂ、１０２ｃと通信するために１つまたは複数の送受信機を含むことが可能である。一実施形態においては、ｅＮｏｄｅ−Ｂ１６０ａ、１６０ｂ、１６０ｃは、ＭＩＭＯ技術を実施することが可能である。したがってｅＮｏｄｅ−Ｂ１６０ａは、たとえば、ＷＴＲＵ１０２ａに無線信号を送信するために、および／またはＷＴＲＵ１０２ａから無線信号を受信するために、複数のアンテナを使用することが可能である。
【００３３】
ｅＮｏｄｅ−Ｂ１６０ａ、１６０ｂ、１６０ｃのそれぞれは、特定のセル（図示せず）に関連付けられることが可能であり、無線リソース管理の決定、ハンドオーバの決定、ＵＬおよび／またはＤＬにおけるユーザのスケジューリングなどを取り扱うように構成されることが可能である。図１Ｃにおいて示されているように、ｅＮｏｄｅ−Ｂ１６０ａ、１６０ｂ、１６０ｃは、Ｘ２インタフェースを介して互いに通信することが可能である。
【００３４】
図１Ｃにおいて示されているＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（またはＰＧＷ）１６６を含むことが可能である。上述の要素のうちのそれぞれは、ＣＮ１０６の一部として示されているが、これらの要素のうちのいずれかが、ＣＮオペレータ以外のエンティティによって所有および／または運営されることが可能であることが理解されるであろう。
【００３５】
ＭＭＥ１６２は、Ｓ１インタフェースを介してＲＡＮ１０４におけるｅＮｏｄｅ−Ｂ１６２ａ、１６２ｂ、１６２ｃのそれぞれに接続されることが可能であり、制御ノードとしての役割を果たすことが可能である。たとえば、ＭＭＥ１６２は、ＷＴＲＵ１０２ａ、１０２ｂ、１０２ｃのユーザを認証すること、ベアラの活性化／非活性化、ＷＴＲＵ１０２ａ、１０２ｂ、１０２ｃの最初の接続の間に特定のサービングゲートウェイを選択することなどを担当することが可能である。ＭＭＥ１６２は、ＲＡＮ１０４と、ＧＳＭおよび／またはＷＣＤＭＡなどのその他の無線技術を採用しているその他のＲＡＮ（図示せず）との間における切り替えを行うための制御プレーン機能を提供することが可能である。
【００３６】
ＳＧＷ１６４は、Ｓ１インタフェースを介してＲＡＮ１０４におけるｅＮｏｄｅＢ１６０ａ、１６０ｂ、１６０ｃのそれぞれに接続されることが可能である。ＳＧＷ１６４は一般に、ユーザデータパケットをＷＴＲＵ１０２ａ、１０２ｂ、１０２ｃへ／ＷＴＲＵ１０２ａ、１０２ｂ、１０２ｃから経路指定および転送することが可能である。ＳＧＷ１６４は、その他の機能、たとえば、ｅＮｏｄｅＢ間でのハンドオーバの間にユーザプレーンを固定すること、ＷＴＲＵ１０２ａ、１０２ｂ、１０２ｃにとってＤＬデータが利用可能である場合にページングをトリガすること、ＷＴＲＵ１０２ａ、１０２ｂ、１０２ｃのコンテキストを管理および記憶することなどを実行することが可能である。
【００３７】
ＳＧＷ１６４は、ＰＧＷ１６６に接続されることが可能であり、ＰＧＷ１６６は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することが可能である。
【００３８】
ＣＮ１０６は、その他のネットワークとの通信を容易にすることが可能である。たとえば、ＣＮ１０６は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することが可能である。たとえば、ＣＮ１０６は、ＣＮ１０６とＰＳＴＮ１０８との間におけるインタフェースとしての役割を果たすＩＰゲートウェイ（たとえば、ＩＰマルチメディアサブシステム（ＩＭＳ）サーバ）を含むことが可能であり、またはそうしたＩＰゲートウェイと通信することが可能である。加えて、ＣＮ１０６は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／または無線ネットワークを含むことが可能である。
【００３９】
ＷＴＲＵは、図１Ａ〜図１Ｄにおいては無線端末として記述されているが、特定の代表的な実施形態においては、そのような端末は、通信ネットワークとの有線通信インタフェースを（たとえば、一時的にまたは永久に）使用することが可能であると想定される。
【００４０】
代表的な実施形態においては、その他のネットワーク１１２は、ＷＬＡＮであることが可能である。
【００４１】
インフラストラクチャ基本サービスセット（ＢＳＳ）モードにおけるＷＬＡＮは、ＢＳＳ用のアクセスポイント（ＡＰ）と、ＡＰに関連付けられている１つまたは複数のステーション（ＳＴＡ）とを有することが可能である。ＡＰは、ＢＳＳとの間で出入りするトラフィックを搬送する配信システム（ＤＳ）または別のタイプの有線／無線ネットワークへのアクセスまたはインタフェースを有することが可能である。ＢＳＳの外部から生じるＳＴＡへのトラフィックは、ＡＰを通じて着信することが可能であり、ＳＴＡへ配信されることが可能である。ＳＴＡからＢＳＳの外部の宛先へ生じるトラフィックは、ＡＰへ送られて、それぞれの宛先へ配信されることが可能である。ＢＳＳ内のＳＴＡの間におけるトラフィックは、たとえば、ソースＳＴＡがトラフィックをＡＰへ送ることが可能であり、ＡＰがそのトラフィックを宛先ＳＴＡへ配信することが可能である場合には、ＡＰを通じて送られることが可能である。ＢＳＳ内のＳＴＡの間におけるトラフィックは、ピアツーピアトラフィックとみなされること、および／または呼ばれることが可能である。ピアツーピアトラフィックは、ダイレクトリンクセットアップ（ＤＬＳ）を用いてソースＳＴＡと宛先ＳＴＡとの間において（たとえば、間において直接）送られることが可能である。特定の代表的な実施形態においては、ＤＬＳは、８０２．１１ｅ  ＤＬＳまたは８０２．１１ｚトンネルドＤＬＳ（ＴＤＬＳ：tunneled DLS）を使用することが可能である。独立ＢＳＳ（ＩＢＳＳ）モードを使用するＷＬＡＮは、ＡＰを有さないことが可能であり、ＩＢＳＳ内のまたはＩＢＳＳを使用するＳＴＡ（たとえば、ＳＴＡのうちのすべて）は、互いに直接通信することが可能である。通信のＩＢＳＳモードは、本明細書においては、時には通信の「アドホック」モードと呼ばれることが可能である。
【００４２】
オペレーションの８０２．１１ａｃインフラストラクチャモードまたはオペレーションの同様のモードを使用する場合には、ＡＰは、プライマリチャネルなどの固定されたチャネル上でビーコンを送信することが可能である。プライマリチャネルは、固定された幅（たとえば、２０ＭＨｚの幅の帯域幅）またはシグナリングを介した動的に設定される幅であることが可能である。プライマリチャネルは、ＢＳＳの動作チャネルであることが可能であり、ＡＰとの接続を確立するためにＳＴＡによって使用されることが可能である。特定の代表的な実施形態においては、たとえば８０２．１１システムにおいて、搬送波感知多重アクセス／衝突回避方式（ＣＳＭＡ／ＣＡ）が実施されることが可能である。ＣＳＭＡ／ＣＡに関しては、ＡＰを含むＳＴＡ（たとえば、あらゆるＳＴＡ）は、プライマリチャネルを感知することが可能である。特定のＳＴＡによってプライマリチャネルが感知／検知され、および／またはビジーであると決定された場合には、その特定のＳＴＡは、引き下がることが可能である。１つのＳＴＡ（たとえば、１つのステーションのみ）が、所与のＢＳＳにおいて任意の所与の時点で送信を行うことが可能である。
【００４３】
高スループット（ＨＴ）ＳＴＡは、たとえば、プライマリ２０ＭＨｚチャネルと、隣り合っているまたは隣り合っていない２０ＭＨｚのチャネルとの組合せを介して、通信のために４０ＭＨｚの幅のチャネルを使用して、４０ＭＨｚの幅のチャネルを形成することが可能である。
【００４４】
超高スループット（ＶＨＴ：Very High Throughput）ＳＴＡは、２０ＭＨｚ、４０ＭＨｚ、８０ＭＨｚ、および／または１６０ＭＨｚの幅のチャネルをサポートすることが可能である。４０ＭＨｚのチャネル、および／または８０ＭＨｚのチャネルは、隣接している２０ＭＨｚのチャネルを組み合わせることによって形成されることが可能である。１６０ＭＨｚのチャネルは、８つの隣接している２０ＭＨｚのチャネルを組み合わせることによって、または２つの隣接していない８０ＭＨｚのチャネル（これは、８０＋８０構成と呼ばれることが可能である）を組み合わせることによって形成されることが可能である。８０＋８０構成に関しては、データは、チャネル符号化の後に、セグメントパーサに通されることが可能であり、セグメントパーサは、そのデータを２つのストリームへと分割することが可能である。逆高速フーリエ変換（ＩＦＦＴ）処理、および時間ドメイン処理が、それぞれのストリーム上で別々に行われることが可能である。それらのストリームは、２つの８０ＭＨｚのチャネル上にマップされることが可能であり、データは、送信側ＳＴＡによって送信されることが可能である。受信側ＳＴＡの受信機においては、８０＋８０構成に関する上述のオペレーションは、逆にされることが可能であり、組み合わされたデータは、媒体アクセス制御（ＭＡＣ）へ送られることが可能である。
【００４５】
オペレーションのサブ１ＧＨｚモードが、８０２．１１ａｆおよび８０２．１１ａｈによってサポートされている。チャネル動作帯域幅、およびキャリアは、８０２．１１ａｆおよび８０２．１１ａｈにおいては、８０２．１１ｎおよび８０２．１１ａｃにおいて使用されるものに比べて低減される。８０２．１１ａｆは、ＴＶホワイトスペース（ＴＶＷＳ）スペクトルにおける５ＭＨｚ、１０ＭＨｚ、および２０ＭＨｚの帯域幅をサポートし、８０２．１１ａｈは、非ＴＶＷＳスペクトルを使用する１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレッジエリアにおけるＭＴＣデバイスなど、メータタイプ制御／マシンタイプ通信をサポートすることが可能である。ＭＴＣデバイスは、特定の能力、たとえば、特定のおよび／または限られた帯域幅に関するサポートを（たとえば、それらに関するサポートのみを）含む限られた能力を有することが可能である。ＭＴＣデバイスは、（たとえば、非常に長いバッテリ寿命を保持するために）しきい値を上回るバッテリ寿命を有するバッテリを含むことが可能である。
【００４６】
複数のチャネル、およびチャネル帯域幅、たとえば、８０２．１１ｎ、８０２．１１ａｃ、８０２．１１ａｆ、および８０２．１１ａｈをサポートすることが可能であるＷＬＡＮシステムは、プライマリチャネルとして指定されることが可能であるチャネルを含む。プライマリチャネルは、ＢＳＳにおけるすべてのＳＴＡによってサポートされている最大の共通動作帯域幅に等しい帯域幅を有することが可能である。プライマリチャネルの帯域幅は、ＢＳＳにおいて動作しているすべてのＳＴＡのうちで、最小の帯域幅動作モードをサポートしているＳＴＡによって設定および／または制限されることが可能である。８０２．１１ａｈの例においては、たとえＡＰ、およびＢＳＳにおけるその他のＳＴＡが、２ＭＨｚ、４ＭＨｚ、８ＭＨｚ、１６ＭＨｚ、および／またはその他のチャネル帯域幅動作モードをサポートしても、１ＭＨｚモードをサポートする（たとえば、サポートするだけである）ＳＴＡ（たとえば、ＭＴＣタイプデバイス）に関しては、プライマリチャネルは、１ＭＨｚの幅であることが可能である。キャリア感知および／またはネットワーク割り当てベクトル（ＮＡＶ）設定は、プライマリチャネルのステータスに依存することが可能である。プライマリチャネルが、たとえば、（１ＭＨｚの動作モードしかサポートしていない）ＳＴＡがＡＰへの送信を行っていることに起因して、ビジーである場合には、利用可能な周波数帯域全体は、たとえそれらの周波数帯域の大部分がアイドルのままであって利用可能であることが可能であっても、ビジーとみなされることが可能である。
【００４７】
米国においては、８０２．１１ａｈによって使用されることが可能である利用可能な周波数帯域は、９０２ＭＨｚから９２８ＭＨｚまでである。韓国においては、利用可能な周波数帯域は、９１７．５ＭＨｚから９２３．５ＭＨｚまでである。日本においては、利用可能な周波数帯域は、９１６．５ＭＨｚから９２７．５ＭＨｚまでである。８０２．１１ａｈにとって利用可能な合計の帯域幅は、国コードに応じて６ＭＨｚから２６ＭＨｚである。
【００４８】
図１Ｄは、実施形態によるＲＡＮ１１３およびＣＮ１１５を示すシステム図である。上述されているように、ＲＡＮ１１３は、エアインタフェース１１６を介してＷＴＲＵ１０２ａ、１０２ｂ、１０２ｃと通信するためにＮＲ無線技術を採用することが可能である。ＲＡＮ１１３は、ＣＮ１１５と通信状態にあることも可能である。
【００４９】
ＲＡＮ１１３は、ｇＮＢ１８０ａ、１８０ｂ、１８０ｃを含むことが可能であるが、ＲＡＮ１１３は、実施形態との整合性を保持しながら、任意の数のｇＮＢを含むことが可能であることが理解されるであろう。ｇＮＢ１８０ａ、１８０ｂ、１８０ｃはそれぞれ、エアインタフェース１１６を介してＷＴＲＵ１０２ａ、１０２ｂ、１０２ｃと通信するために１つまたは複数の送受信機を含むことが可能である。一実施形態においては、ｇＮＢ１８０ａ、１８０ｂ、１８０ｃは、ＭＩＭＯ技術を実施することが可能である。たとえば、ｇＮＢ１８０ａ、１８０ｂは、ｇＮＢ１８０ａ、１８０ｂ、１８０ｃへ信号を送信するために、および／またはｇＮＢ１８０ａ、１８０ｂ、１８０ｃから信号を受信するために、ビームフォーミングを利用することが可能である。したがってｇＮＢ１８０ａは、たとえば、ＷＴＲＵ１０２ａへ無線信号を送信するために、および／またはＷＴＲＵ１０２ａから無線信号を受信するために、複数のアンテナを使用することが可能である。実施形態においては、ｇＮＢ１８０ａ、１８０ｂ、１８０ｃは、キャリアアグリゲーション技術を実施することが可能である。たとえば、ｇＮＢ１８０ａは、複数のコンポーネントキャリアをＷＴＲＵ１０２ａ（図示せず）へ送信することが可能である。これらのコンポーネントキャリアのサブセットが、認可されていないスペクトル上にあることが可能であり、その一方で残りのコンポーネントキャリアが、認可されたスペクトル上にあることが可能である。実施形態においては、ｇＮＢ１８０ａ、１８０ｂ、１８０ｃは、協調マルチポイント（ＣｏＭＰ）技術を実施することが可能である。たとえば、ＷＴＲＵ１０２ａは、ｇＮＢ１８０ａおよびｇＮＢ１８０ｂ（および／またはｇＮＢ１８０ｃ）から協調送信を受信することが可能である。
【００５０】
ＷＴＲＵ１０２ａ、１０２ｂ、１０２ｃは、スケーラブルなニューメロロジ（numerology）に関連付けられている送信を使用して、ｇＮＢ１８０ａ、１８０ｂ、１８０ｃと通信することが可能である。たとえば、ＯＦＤＭシンボル間隔および／またはＯＦＤＭサブキャリア間隔は、別々の送信、別々のセル、および／または無線送信スペクトルの別々の部分ごとに異なることが可能である。ＷＴＲＵ１０２ａ、１０２ｂ、１０２ｃは、さまざまなまたはスケーラブルな長さのサブフレームまたは送信タイムインターバル（ＴＴＩ）（たとえば、さまざまな数のＯＦＤＭシンボルおよび／または持続するさまざまな長さの絶対時間を含む）を使用して、ｇＮＢ１８０ａ、１８０ｂ、１８０ｃと通信することが可能である。
【００５１】
ｇＮＢ１８０ａ、１８０ｂ、１８０ｃは、スタンドアロンの構成および／またはスタンドアロンではない構成でＷＴＲＵ１０２ａ、１０２ｂ、１０２ｃと通信するように構成されることが可能である。スタンドアロンの構成においては、ＷＴＲＵ１０２ａ、１０２ｂ、１０２ｃは、その他のＲＡＮ（たとえば、ｅＮｏｄｅ−Ｂ１６０ａ、１６０ｂ、１６０ｃなど）にアクセスすることも伴わずに、ｇＮＢ１８０ａ、１８０ｂ、１８０ｃと通信することが可能である。スタンドアロンの構成においては、ＷＴＲＵ１０２ａ、１０２ｂ、１０２ｃは、ｇＮＢ１８０ａ、１８０ｂ、１８０ｃのうちの１つまたは複数をモビリティアンカポイントとして利用することが可能である。スタンドアロンの構成においては、ＷＴＲＵ１０２ａ、１０２ｂ、１０２ｃは、認可されていない帯域における信号を使用してｇＮＢ１８０ａ、１８０ｂ、１８０ｃと通信することが可能である。スタンドアロンではない構成においては、ＷＴＲＵ１０２ａ、１０２ｂ、１０２ｃは、ｇＮＢ１８０ａ、１８０ｂ、１８０ｃと通信する／それらに接続する一方で、ｅＮｏｄｅ−Ｂ１６０ａ、１６０ｂ、１６０ｃなどの別のＲＡＮと通信すること／それらに接続することも可能である。たとえば、ＷＴＲＵ１０２ａ、１０２ｂ、１０２ｃは、ＤＣ原理を実施して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することが可能である。スタンドアロンではない構成においては、ｅＮｏｄｅ−Ｂ１６０ａ、１６０ｂ、１６０ｃは、ＷＴＲＵ１０２ａ、１０２ｂ、１０２ｃのためのモビリティアンカとしての役割を果たすことが可能であり、ｇＮＢ１８０ａ、１８０ｂ、１８０ｃは、ＷＴＲＵ１０２ａ、１０２ｂ、１０２ｃにサービス提供するためのさらなるカバレッジおよび／またはスループットを提供することが可能である。
【００５２】
ｇＮＢ１８０ａ、１８０ｂ、１８０ｃのそれぞれは、特定のセル（図示せず）に関連付けられることが可能であり、無線リソース管理決定、ハンドオーバ決定、ＵＬおよび／またはＤＬにおけるユーザのスケジューリング、ネットワークスライシングのサポート、デュアル接続、ＮＲとＥ−ＵＴＲＡとの間におけるインターワーキング、ユーザプレーン機能（ＵＰＦ）１８４ａ、１８４ｂへのユーザプレーンデータの経路指定、アクセスおよびモビリティ管理機能（ＡＭＦ）１８２ａ、１８２ｂへの制御プレーン情報の経路指定などを取り扱うように構成されることが可能である。図１Ｄにおいて示されているように、ｇＮＢ１８０ａ、１８０ｂ、１８０ｃは、Ｘｎインタフェースを介して互いに通信することが可能である。
【００５３】
図１Ｄにおいて示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合よってはデータネットワーク（ＤＮ）１８５ａ、１８５ｂを含むことが可能である。上述の要素のうちのそれぞれは、ＣＮ１１５の一部として示されているが、これらの要素のうちのいずれかが、ＣＮオペレータ以外のエンティティによって所有および／または運営されることが可能であることが理解されるであろう。
【００５４】
ＡＭＦ１８２ａ、１８２ｂは、Ｎ２インタフェースを介してＲＡＮ１１３におけるｇＮＢ１８０ａ、１８０ｂ、１８０ｃのうちの１つまたは複数に接続されることが可能であり、制御ノードとしての役割を果たすことが可能である。たとえば、ＡＭＦ１８２ａ、１８２ｂは、ＷＴＲＵ１０２ａ、１０２ｂ、１０２ｃのユーザを認証すること、ネットワークスライシングに関するサポート（たとえば、別々の要件を伴う別々のＰＤＵセッションを取り扱うこと）、特定のＳＭＦ１８３ａ、１８３ｂを選択すること、登録エリアの管理、ＮＡＳシグナリングの終了、モビリティ管理などを担当することが可能である。ネットワークスライシングは、ＷＴＲＵ１０２ａ、１０２ｂ、１０２ｃによって利用されているサービスのタイプに基づいてＷＴＲＵ１０２ａ、１０２ｂ、１０２ｃのためにＣＮサポートをカスタマイズするためにＡＭＦ１８２ａ、１８２ｂによって使用されることが可能である。たとえば、超高信頼低遅延（ＵＲＬＬＣ）アクセスに依存するサービス、拡張大容量モバイルブロードバンド（ｅＭＢＢ）アクセスに依存するサービス、マシンタイプ通信（ＭＴＣ）アクセスに関するサービス等などの別々の使用ケースに関して、別々のネットワークスライスが確立されることが可能である。ＡＭＦ１６２は、ＲＡＮ１１３と、ＬＴＥ、ＬＴＥ−Ａ、ＬＴＥ−Ａ  Ｐｒｏなどのその他の無線技術、および／またはＷｉＦｉなどの非３ＧＰＰアクセス技術を採用しているその他のＲＡＮ（図示せず）との間において切り替えを行うための制御プレーン機能を提供することが可能である。
【００５５】
ＳＭＦ１８３ａ、１８３ｂは、Ｎ１１インタフェースを介してＣＮ１１５におけるＡＭＦ１８２ａ、１８２ｂに接続されることが可能である。ＳＭＦ１８３ａ、１８３ｂは、Ｎ４インタフェースを介してＣＮ１１５におけるＵＰＦ１８４ａ、１８４ｂに接続されることも可能である。ＳＭＦ１８３ａ、１８３ｂは、ＵＰＦ１８４ａ、１８４ｂを選択および制御し、ＵＰＦ１８４ａ、１８４ｂを通じたトラフィックの経路指定を構成することが可能である。ＳＭＦ１８３ａ、１８３ｂは、その他の機能、たとえば、ＵＥ  ＩＰアドレスを管理することおよび割り当てること、ＰＤＵセッションを管理すること、ポリシー施行およびＱｏＳを制御すること、ダウンリンクデータ通知を提供することなどを実行することが可能である。ＰＤＵセッションタイプは、ＩＰベース、非ＩＰベース、イーサネットベースなどであることが可能である。
【００５６】
ＵＰＦ１８４ａ、１８４ｂは、Ｎ３インタフェースを介してＲＡＮ１１３におけるｇＮＢ１８０ａ、１８０ｂ、１８０ｃのうちの１つまたは複数に接続されることが可能であり、Ｎ３インタフェースは、ＷＴＲＵ１０２ａ、１０２ｂ、１０２ｃとＩＰ対応デバイスとの間における通信を容易にするために、インターネット１１０などのパケット交換ネットワークへのアクセスをＷＴＲＵ１０２ａ、１０２ｂ、１０２ｃに提供することが可能である。ＵＰＦ１８４、１８４ｂは、その他の機能、たとえば、パケットを経路指定および転送すること、ユーザプレーンポリシーを施行すること、マルチホームドＰＤＵセッションをサポートすること、ユーザプレーンＱｏＳを取り扱うこと、ダウンリンクパケットをバッファリングすること、モビリティアンカリングを提供することなどを実行することが可能である。
【００５７】
ＣＮ１１５は、その他のネットワークとの通信を容易にすることが可能である。たとえば、ＣＮ１１５は、ＣＮ１１５とＰＳＴＮ１０８との間におけるインタフェースとしての役割を果たすＩＰゲートウェイ（たとえば、ＩＰマルチメディアサブシステム（ＩＭＳ）サーバ）を含むことが可能であり、またはそうしたＩＰゲートウェイと通信することが可能である。加えて、ＣＮ１１５は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／または無線ネットワークを含むことが可能である。一実施形態においては、ＷＴＲＵ１０２ａ、１０２ｂ、１０２ｃは、ＵＰＦ１８４ａ、１８４ｂへのＮ３インタフェース、およびＵＰＦ１８４ａ、１８４ｂとＤＮ１８５ａ、１８５ｂとの間におけるＮ６インタフェースを介して、ＵＰＦ１８４ａ、１８４ｂを通じてローカルデータネットワーク（ＤＮ）１８５ａ、１８５ｂに接続されることが可能である。
【００５８】
図１Ａ〜図１Ｄ、および図１Ａ〜図１Ｄの対応する説明を考慮すると、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書において記述されているその他の任意のデバイスのうちの１つまたは複数に関連して本明細書において記述されている機能のうちの１つもしくは複数またはすべては、１つまたは複数のエミュレーションデバイス（図示せず）によって実行されることが可能である。エミュレーションデバイスは、本明細書において記述されている機能のうちの１つもしくは複数またはすべてをエミュレートするように構成されている１つまたは複数のデバイスであることが可能である。たとえば、エミュレーションデバイスは、その他のデバイスを検査するために、ならびに／またはネットワークおよび／もしくはＷＴＲＵ機能をシミュレートするために使用されることが可能である。
【００５９】
エミュレーションデバイスは、ラボ環境において、および／またはオペレータネットワーク環境においてその他のデバイスの１つまたは複数の検査を実施するように設計されることが可能である。たとえば、１つまたは複数のエミュレーションデバイスは、有線および／または無線通信ネットワーク内のその他のデバイスを検査するためにその通信ネットワークの一部として全体的にまたは部分的に実装および／または展開されている間に、１つもしくは複数のまたはすべての機能を実行することが可能である。１つまたは複数のエミュレーションデバイスは、有線および／または無線通信ネットワークの一部として一時的に実装／展開されている間に、１つもしくは複数のまたはすべての機能を実行することが可能である。エミュレーションデバイスは、検査の目的のために別のデバイスに直接結合されることが可能であり、および／または無線通信を使用して検査を実行することが可能である。
【００６０】
１つまたは複数のエミュレーションデバイスは、有線および／または無線通信ネットワークの一部として実装／展開されていない間に、すべての機能を含む１つまたは複数の機能を実行することが可能である。たとえば、エミュレーションデバイスは、１つまたは複数の構成要素の検査を実施するために、検査ラボラトリならびに／または展開されていない（たとえば、検査の）有線および／もしくは無線通信ネットワークにおける検査シナリオにおいて利用されることが可能である。１つまたは複数のエミュレーションデバイスは、検査機器であることが可能である。直接ＲＦ結合、および／または、ＲＦ回路（たとえば、１つもしくは複数のアンテナを含むことが可能である）を介した無線通信が、データを送信および／または受信するためにエミュレーションデバイスによって使用されることが可能である。
【００６１】
指向性マルチギガビット（ＤＭＧ）送信は、本明細書において記述されている実施形態において使用される際には、指向性ミリメートル波（ｍｍＷ）送信を使用するＩＥＥＥ８０２．１１ａｄによって指定されるＷＬＡＮ送信と定義される。具体的には、ＤＭＧは、４５ＧＨｚを上回るチャネル開始周波数を含む周波数帯域におけるオペレーションを指すことが可能である。ＤＭＧステーション（ＳＴＡ）は、本明細書において使用される際には、ＤＭＧ物理レイヤ（ＰＨＹ）プロトコルデータユニット（ＰＰＤＵ）を送信および受信することが可能である無線送信機を有するＳＴＡを指すことが可能である。
【００６２】
パーソナル基本サービスセット（ＰＢＳＳ：Personal Basic Service Set）は、本明細書において使用される際には、配信システム（ＤＳ：distribution system）へのアクセスが存在せず、ＰＢＳＳ内転送サービスが任意選択で存在する１つのＰＢＳＳ制御ポイント（ＰＣＰ：PBSS control point）を含むＤＭＧ基本サービスセット（ＢＳＳ）を指すことが可能である。ＰＢＳＳ制御ポイント（ＰＣＰ）は、本明細書において使用される際には、少なくとも１つのＳＴＡを含み、かつＰＢＳＳのメンバーであるＳＴＡによる無線媒体（ＷＭ）へのアクセスを調整するエンティティを指すことが可能である。パーソナル基本サービスセット（ＰＢＳＳ）制御ポイント（ＰＣＰ）／アクセスポイント（ＡＰ）は、本明細書において使用される際には、ＰＣＰまたはＡＰのうちの少なくとも１つであるＳＴＡを指すことが可能である。「ＰＣＰ／ＡＰ」、「ＡＰ／ＰＣＰ」という用語、またはそれらのいずれの変形も、本明細書においては、言い換え可能に使用されることが可能である。非ＰＣＰ  ＳＴＡは、本明細書において使用される際には、ＰＣＰではないＳＴＡを指すことが可能である。非ＰＣＰ／非ＡＰステーション（ＳＴＡ）は、ＰＣＰではなく、かつＡＰでもないＳＴＡを指すことが可能である。
【００６３】
図２は、本明細書において記述されているその他の実施形態のうちのいずれかとの組合せで使用されることが可能である例示的な物理レイヤ（ＰＨＹ）プロトコルデータユニット（ＰＰＤＵ）フォーマット（または物理レイヤフレームフォーマット）を示している。図２において示されているように、ＰＨＹモードに基づいて３つの異なるフレームフォーマット、すなわち、制御ＰＨＹフレーム２０５、シングルキャリアＰＨＹフレーム２１０、およびＯＦＤＭ  ＰＨＹフレーム２１５がある。これらの８０２．１１ａｄフレーム２０５、２１０、２１５は、３つの部分、すなわち、プリアンブル２２０、２２２、２２４、ヘッダ２３０、２３２、２３４、およびデータフィールド２４０、２４２、２４４からなることが可能である。プリアンブル２２０、２２２、２２４は、受信機におけるフロントエンド同期において使用される、既知のデータパターンであることが可能である。フロントエンド同期は、時間、周波数、およびチャネル補正を含むことが可能である。ヘッダ２３０、２３２、２３４は、パケットの残り（すなわちペイロード）を復号する上で有用な情報を含むことが可能である。変調およびコーディングスキーム表示が、ヘッダ２３０、２３２、２３４によって搬送されることが可能である。
【００６４】
図２において示されているように、制御ＰＨＹフレーム２０５は、プリアンブル２２０、ヘッダ２３０、データフィールド２４０、および任意選択でビームフォーミングトレーニングサブフィールド２５０から構成されている。プリアンブル２２０は、パケット検知、自動利得制御（ＡＧＣ：automatic gain control）、周波数オフセット推定、同期、フレームタイプの表示、およびチャネル推定のために使用されることが可能である。プリアンブルは、２つの部分、すなわち、ショートトレーニングフィールド（ＳＴＦ：Short Training field）およびチャネル推定フィールド（ＣＥＦ：Channel Estimation field）からさらに構成されている。プリアンブル２０８に、ヘッダブロック２３０が続く。ヘッダ２３０は、送信されることになるＰＰＤＵの詳細を定義するいくつかのフィールドからなることが可能である。データフィールド２４０は、物理レイヤサービスデータユニット（ＰＳＤＵ）のペイロードデータからなることが可能である。
【００６５】
シングルキャリアＰＨＹフレーム２１０は、プリアンブル２２２、ヘッダ２３２、データフィールド２４２、および任意選択でビームフォーミングトレーニングサブフィールド２５２から構成されている。プリアンブル２２２は、ＳＴＦおよびＣＥＦを含むことが可能である。プリアンブル２２２に、ヘッダブロック２３２は続く。ヘッダ２３２は、ＰＳＤＵのペイロードデータおよび可能なパディングからなることが可能である。データは、ゼロを詰め込まれること、スクランブルされること、符号化されること、および変調されることが可能である。ＯＦＤＭ  ＰＨＹフレーム２１５も、プリアンブル２２４、ヘッダ２３４、データフィールド２４４、および任意選択でビームフォーミングトレーニングサブフィールド２５４から構成されている。プリアンブル２２４は、ＳＴＦおよびＣＥＦを含むことが可能である。プリアンブル２２４に、ヘッダブロック２３４が続く。ヘッダ２３４は、送信されることになるＰＰＤＵの詳細を定義するいくつかのフィールドからなることが可能である。
【００６６】
フレーム２０５、２１０、２１５は、ビームフォーミングトレーニングのためのメカニズム（たとえば、発見および追跡把握）を容易にすることが可能である。ビームフォーミングトレーニングプロトコルは、２つのコンポーネント、すなわち、セクタレベルスイープ（ＳＬＳ：sector level sweep）手順およびビームリファインメントプロトコル（ＢＲＰ：beam refinement protocol）手順を含むことが可能である。ＳＬＳ手順は、ビームフォーミングトレーニングを送信するために使用されることが可能であり、ＢＲＰ手順は、ビームフォーミングトレーニングの受信、ならびに送信ビームおよび受信ビームの両方の繰り返しのリファインメントを可能にすることが可能である。
【００６７】
図３は、本明細書において記述されているその他の実施形態のうちのいずれかとの組合せで使用されることが可能である例示的なＤＭＧチャネルアクセススキームを示している。この例においては、ビーコンインターバル３０５が、ビーコンヘッダインターバル（ＢＨＩ：beacon header interval）３１０およびデータ送信インターバル（ＤＴＩ：data transmission interval）３２０を含むことが可能である。ＢＨＩ３１０は、複数の指向的に送信されたフレームのスイープを使用して管理情報およびネットワークアナウンスのやり取りを容易にすることが可能である。ＢＨＩ３１０は、ビーコン送信インターバル（ＢＴＩ：beacon transmission interval）３１２、アソシエーションビームフォーミングトレーニング（Ａ−ＢＦＴ：association beamforming training）サブインターバル３１４、およびアナウンス送信インターバル（ＡＴＩ：announcement transmission interval）３１６を含むことが可能である。ＢＴＩ３１２は、１つまたは複数のＤＭＧビーコンフレームが送信されることが可能であるアクセス期間であることが可能である。すべてのＤＭＧビーコンフレームが、すべての非ＰＣＰおよび非ＡＰ  ＳＴＡによって検知できることが可能であるわけではない。さらに、すべてのビーコンインターバル３０５が、ＢＴＩ３１２を含むことが可能であるわけではない。非ＡＰ  ＳＴＡでもある非ＰＣＰ  ＳＴＡは、それがメンバーである基本サービスセット（ＢＳＳ）のＢＴＩ３１２の間に送信を行わないことが可能である。
【００６８】
Ａ−ＢＦＴ３１４は、前のＢＴＩ３１２の間にＤＭＧビーコンフレームを送信したＳＴＡを用いてビームフォーミングトレーニングが実行されることが可能であるアクセス期間であることが可能である。Ａ−ＢＦＴ３１４の存在は、任意選択であることが可能であり、ＤＭＧビーコンフレームにおいてシグナリングされることが可能である。ＡＴＩ３１６は、ＰＣＰ／ＡＰ  ＳＴＡと非ＰＣＰ／非ＡＰ  ＳＴＡとの間における要求／応答ベースの管理アクセス期間であることが可能である。ＡＴＩ３１６の存在は、任意選択であることが可能であり、ＤＭＧビーコンフレームにおいてシグナリングされることが可能である。
【００６９】
ＤＴＩ３２０は、ＳＴＡ間においてフレームのやり取りが実行されることが可能であるアクセス期間であることが可能である。ビーコンインターバルごとに単一のＤＴＩ３２０があることが可能であり、ＤＴＩ３２０は、コンテンションベースのアクセス期間（ＣＢＡＰ：contention-based access periods）３２２、３２８、およびスケジュールされたサービス期間（ＳＰ）３２４、３２６を含むことが可能である。ＳＬＳはＢＨＩ３１０において実行されるので、ＤＴＩ３２０においては、ＰＣＰ／ＡＰおよびＳＴＡは、基本的な通信リンクおよび情報のやり取りを可能にするために送信（Ｔｘ）方向および受信（Ｒｘ）方向を知っていると想定されることが可能であるが、より良好なリンク品質のために、特にデータ送信のために、このインターバルの間にビームリファインメントプロトコル（ＢＲＰ）が実行されることが可能である。特定の状況においては、ＳＰ３２４、３２６およびＣＢＡＰ３２２、３２８が、動的割り当てのために使用されることが可能であり、これは、ＰＣＰ／ＡＰとの間でのチャネル時間のほぼリアルタイムでの予約を可能にするために使用されることが可能である。このタイプのアクセスは、ＳＰ３２４、３２６およびＣＢＡＰ３２２、３２８に加えて使用されることが可能である。
【００７０】
図４は、本明細書において記述されているその他の実施形態のうちのいずれかとの組合せで使用されることが可能である、サービス期間の例示的な動的割り当てを示している。この例においては、動的割り当ては、ポーリング期間（ＰＰ）４０５および許可期間（ＧＰ）４１０を含むことが可能である。ＰＰ４０５の間に、ＰＣＰ／ＡＰ４２０は、ポールフレーム（Ｐｏｌｌ）４３０、４４０をＳＴＡ４２５へ送り、データ送信にチャネル時間を割り当てるためのサービス期間要求フレーム（ＳＰＲ）４５０、４５５を受信することが可能である。Ｐｏｌｌフレーム４３０、４４０のそれぞれは、例としてショートビームフォーミングフレーム間間隔（ＳＢＩＦＳ：Short Beamforming Interframe Space）４３５によって分離することが可能である。ＰＯｌｌN４４０およびＳＰＲ1４５０は、例としてショートフレーム間間隔（ＳＩＦ）持続時間４４５によって分離することが可能である。同様に、ＳＰＲフレーム４５０、４５５のそれぞれは、例としてＳＩＦ持続時間４５２によって分離することが可能である。受信されたＳＰＲフレーム４５０、４５５に基づいて、ＰＣＰ／ＡＰ４２０は、ＧＰ４１０の間にＳＴＡ４２５がその他のＳＴＡと通信するためにチャネル時間を割り当てるための要求および送信許可フレーム（Ｇｒａｎｔ）４６０、４６５を受け入れることが可能である。Ｇｒａｎｔフレーム４６０、４６５を受信した後に、ＳＴＡは、Ｇｒａｎｔフレーム４６０、４６５に基づいて別のＳＴＡへデータを転送すること４１５が可能である。Ｇｒａｎｔフレーム４６０、４６５は、例としてＳＢＩＦＳ持続時間４７０によって分離することが可能である。
【００７１】
図５は、本明細書において記述されているその他の実施形態のうちのいずれかとの組合せで使用されることが可能である例示的なポールフレームフォーマットを示している。図５において示されているように、ポールフレームは、フレーム制御フィールド５０５、持続時間フィールド５１０、受信機アドレス（ＲＡ）５１５、送信機アドレス（ＴＡ）５２０、応答オフセット５２５、およびフレームチェックシーケンス（ＦＣＳ）５３０を含むことが可能である。フレーム御フィールド５０５は、プロトコルバージョン、タイプ、およびサブタイプなどの制御情報を含むことが可能である。フレーム制御フィールド５０５は、ポールフレームをどのようにして処理するかを理解するために後続のフィールドにとって必要な情報を提供することも可能である。持続時間フィールド５１０は、残りのポールフレーム送信の持続時間（マイクロ秒での）＋すべての適切なフレーム間間隔（ＩＦＳ：inter-frame space）＋サービス期間要求（ＳＰＲ）フレーム送信の持続時間を含むように設定されることが可能である。ＲＡフィールド５１５は、ポールされているＳＴＡの媒体アクセス制御（ＭＡＣ）アドレスを含むことが可能である。ＴＡフィールド５２０は、ＰＣＰまたはＡＰのＭＡＣアドレスを含むことが可能である。応答オフセットフィールドは、ポールフレームに応答したＳＰＲフレームが送信された場合にこのポールフレームの終わりの後にＳＩＦＳを開始するオフセット（１μｓの単位での）を示すことが可能である。ＦＣＳ５３０は、送信の間にフレームにおいて何らかのエラーが発生したかどうかを送信側ＳＴＡおよび受信側ＳＴＡが検証するために使用される特別なエラー検知コードを含むことが可能である。
【００７２】
図６は、本明細書において記述されているその他の実施形態のうちのいずれかとの組合せで使用されることが可能である例示的なサービス期間要求（ＳＰＲ）フレームフォーマットを示している。図６において示されているように、ＳＰＲフレームは、フレーム制御フィールド６０５、持続時間フィールド６１０、受信機アドレス（ＲＡ）６１５、送信機アドレス（ＴＡ）６２０、動的割り当て情報６２５、ビームフォーミング（ＢＦ）制御フィールド６３０、およびフレームチェックシーケンス（ＦＣＳ）６３５を含むことが可能である。ＳＰＲフレームがポールフレームに応答して送られた場合には、ＳＰＲフレームにおける持続時間フィールド６１０は、ポールフレームに含まれている持続時間フィールド５１０の値−ポールフレームに含まれている応答オフセットフィールド５２５の値×その単位−ＳＩＦＳ−ＳＰＲフレームを送信するのに要した時間に設定されることが可能である。ＳＰＲフレームがポールフレームに応答して送られず、ＳＰまたは送信機会（ＴＸＯＰ）割り当て内で送信された場合には、持続時間フィールド６１０は、ＳＰＲ送信時間を除いて割り当てに残された時間に設定されることが可能である。その他のすべてのケースにおいては、持続時間フィールド６１０は、０に設定されることが可能である。
【００７３】
動的割り当て情報フィールド６２５は、チャネル時間の割り当てを要求するために、いくつかのサブフィールド、たとえば、割り当てタイプ、ソースアソシエーション識別（Ｓｏｕｒｃｅ  ＡＩＤ）、宛先アソシエーション識別（Ｄｅｓｔｉｎａｔｉｏｎ  ＡＩＤ）、割り当て持続時間などを含むことが可能である。たとえば、Ｓｏｕｒｃｅ  ＡＩＤフィールドは、割り当てのソースであるＳＴＡを識別することが可能である。Ｄｅｓｔｉｎａｔｉｏｎ  ＡＩＤフィールドは、割り当ての宛先であるＳＴＡを識別することが可能である。動的割り当て情報フィールド６２５がＳＰＲフレーム内で送信される場合には、割り当て持続時間サブフィールドは、マイクロ秒での要求された持続時間を含むことが可能である。ビームフォーミング（ＢＦ）制御フィールド６３０は、ビームフォーミングのためにアンテナおよびセクタを制御するために、いくつかのサブフィールド、たとえば、ビームフォーミングトレーニング、セクタの数、受信機ＤＭＧアンテナの数などを含むことが可能である。たとえば、ビームフォーミングトレーニングサブフィールドは、ソースＤＭＧ  ＳＴＡが割り当ての始まりにおいて宛先ＤＭＧ  ＳＴＡとの間でビームフォーミングトレーニングを開始することを意図しているか否かを示すことが可能である。ＲＡフィールド６１５は、ＰＣＰまたはＡＰのＭＡＣアドレスを含むことが可能である。ＴＡフィールド６２０は、ＳＰ要求を送信するＳＴＡのＭＡＣアドレスを含むことが可能である。ＳＰＲフレームにおけるフレーム制御フィールド６０５およびフレームチェックシーケンス（ＦＣＳ）６３５は、図５において記述されているポールフレームにおけるそれらと同様の情報を含むことが可能である。
【００７４】
図７は、本明細書において記述されているその他の実施形態のうちのいずれかとの組合せで使用されることが可能である例示的な許可フレームフォーマットを示している。図７において示されているように、許可フレームは、フレーム制御フィールド７０５、持続時間フィールド７１０、受信機アドレス（ＲＡ）７１５、送信機アドレス（ＴＡ）７２０、動的割り当て情報７２５、ビームフォーミング（ＢＦ）制御フィールド７３０、およびフレームチェックシーケンス（ＦＣＳ）７３５を含むことが可能である。許可フレームにおける持続時間フィールド７１０は、必要とされる場合には残りの許可フレームを送信するための時間（マイクロ秒での）、関連したＩＦＳ、２×ＳＩＦＳ、および、図６において記述されているＳＰＲフレームにおける動的割り当て情報フィールド６２５において搬送される割り当て持続時間をカバーするように設定されることが可能である。許可フレームをブロードキャストするために、持続時間フィールド７１０は、すべての残りの許可フレームの持続時間＋許可された時間（マイクロ秒での）をカバーするように設定されることが可能である。ＲＡフィールド７１５は、ＳＰ許可を受信するＳＴＡのＭＡＣアドレスを含むことが可能である。ＴＡフィールド７２０は、許可フレームを送信したＳＴＡのＭＡＣアドレスを含むことが可能である。
【００７５】
動的割り当て情報フィールド７２５が許可フレーム内で送信される場合には、割り当て持続時間サブフィールドは、マイクロ秒でのサービス期間（ＳＰ）またはコンテンションベースのアクセス期間（ＣＢＡＰ）割り当ての許可された持続時間を含むことが可能である。ＢＦ制御フィールド７３０が許可フレームにおいて送信される場合には、ＢＦ制御フィールドは、イニシエータが使用するセクタの総数を示すセクタ総数サブフィールドを含むことが可能である。許可フレームにおけるフレーム制御フィールド７０５およびフレームチェックシーケンス（ＦＣＳ）７３５は、図５および図６において記述されているポールまたはＳＰＲフレームにおけるそれらと同様の情報を含むことが可能である。
【００７６】
ＩＥＥＥ８０２．１１ａｙ標準は、ＩＥＥＥ８０２．１１ＰＨＹレイヤおよびＭＡＣレイヤの両方に対する修正を含む。それは、（ＭＡＣデータサービスＡＰにおいて測定された）少なくとも２０ギガビット／秒の最大スループットをサポートすることができるオペレーションの少なくとも１つのモードを可能にし、その一方でＳＴＡにおけるパワー効率を保持または改善することが可能である。８０２．１１ａｙ標準はまた、４５ＧＨｚを上回る認可免除（license-exempt）帯域に関するオペレーションを定義し、その一方で、同じ帯域において動作する（たとえば、ＩＥＥＥ８０２．１１ａｄによって定義されているような）レガシＤＭＧ  ＳＴＡとの下位互換性および共存を確実にする。ＩＥＥＥ８０２．１１ａｙは、シングルユーザ（ＳＵ）−ＭＩＭＯおよびマルチユーザ（ＭＵ）−ＭＩＭＯを含む多入力多出力（ＭＩＭＯ）送信を含むことも可能である。さらに、ＩＥＥＥ８０２．１１ａｙは、チャネルボンディングおよびチャネルアグリゲーションを含むマルチチャネル送信をカバーすることが可能である。
【００７７】
チャネルボンディングまたはチャネルアグリゲーションは、２つ以上の無線デバイスの間におけるスループットを増やすために所与の周波数帯域内の２つの隣接しているまたは隣接していないチャネルが組み合わされる、ＩＥＥＥ８０２．１１の実施態様において一般的に使用される慣行であることが可能である。たとえば、２つの隣接しているチャネルは、より高いサンプリングレートを使用してスループットを増やすためにワイドバンドチャネルボンディングを作成することが可能である。２つの隣接していないまたは隣接しているチャネルは、２ｘアグリゲーションなどのチャネルアグリゲーションを作成することが可能である。具体的には、２ｘアグリゲーションは、ＳＴＡが、データを送信するための２つの８０２．１１ａｄチャネルを同時に感知および検知することを可能にする周波数キャリアアグリゲーションであることが可能である。チャネルボンディングとチャネルアグリゲーションとの間における違いは、チャネルボンディングにおいては、ＳＴＡがデータを送信しているときに２つの隣接しているチャネルが単一の媒体として扱われることが可能であることであることが可能である。しかしながら、チャネルアグリゲーションにおいては、ＳＴＡがデータを送信しているときに２つの隣接していないチャネルが２つの媒体として扱われることが可能である。
【００７８】
図８Ａおよび図８Ｂは、本明細書において記述されているその他の実施形態のうちのいずれかとの組合せで使用されることが可能である、ＷＬＡＮにおける２つの例示的なチャネルボンディングデータ送信手順を示している。図８Ａにおいては、送信機が、結合されることになるチャネル上で、独立した送信要求（ＲＴＳ）フレーム８０５を用いて媒体を予約することが可能であり、受信機は、送信可（ＣＴＳ）フレーム８１０を用いて応答することが可能である。送信機は次いで、チャネル結合されたデータ送信８１５を受信機へ送ることが可能である。結合の表示は、ＲＴＳフレーム８０５に、または送信されるデータフレーム８１５のプリアンブルに置かれることが可能である。受信機は、チャネル結合された肯定応答（ＢＡＣＫ）８２０を用いて応答することが可能であり、送信機は、２つのコンテンションなしの終了フレーム（ＣＦ−ＥＮＤ）８２５を用いて応答して、送信機会（ＴｘＯＰ）予約８４５を終了させることが可能である。図８Ｂにおいては、送信機は、結合されることになるチャネル上でＣＴＳ−ｔｏ−ｓｅｌｆフレーム８３０を用いて媒体を予約することが可能である。送信機は次いで、チャネル結合されたデータ送信８３５を受信機へ送ることが可能である。結合の表示は、ＣＴＳ−ｔｏ−ｓｅｌｆフレーム８３０に、または送信されるデータフレーム８３５のプリアンブルに置かれることが可能である。受信機は、チャネル結合されたＡＣＫ（ＢＡＣＫ）８４０を用いて応答することが可能である。
【００７９】
図８Ａおよび図８Ｂに関連して上述されている実施形態に関しては、完全なキャリアセンス（たとえば、物理および仮想）がプライマリチャネル上で保持されることが可能である。さらに、拡張ＤＭＧ（ＥＤＭＧ）ＳＴＡが、フレームをピアＥＤＭＧ  ＳＴＡへ送信して、ピアＳＴＡに対するチャネルボンディング送信を実行するという意図を示すことが可能である。これは、ＥＤＭＧ  ＳＴＡが、そのようなフレームを受信した後にのみ複数のチャネルを介して動作することを選ぶことを可能にし、したがって電力を節約することが可能である。複数のチャネルを使用する場合には、ＰＣＰまたはＡＰが、個々に別々のチャネルに割り当てられている複数のＳＴＡへ同時に送信することが可能である。さらに、ＳＰおよびスケジュールされたＣＢＡＰが、複数のチャネルにわたって、および／または結合されたチャネルにわたって割り当てられることが可能である。これらの割り当ては、プライマリチャネルを含むことを必要とされないことが可能である。別々のチャネルを介した割り当てが時間において重なっている場合には、そのような割り当てのソースおよび宛先が異なることが可能であり、そのような割り当てのために使用されるチャネルは、ＢＳＳの動作チャネルに限定されることが可能である。
【００８０】
図９は、本明細書において記述されているその他の実施形態のうちのいずれかとの組合せで使用されることが可能である、ＩＥＥＥ８０２．１１ａｙにおける例示的なチャネライゼーションの図である。上述されているように、チャネルアグリゲーションまたはチャネルボンディングは、ＩＥＥＥ８０２．１１ａｙによってサポートされることが可能である。そのようなチャネルアグリゲーションまたはチャネルボンディングは、２．１６ＧＨｚ＋２．１６ＧＨｚモード、４．３２ＧＨｚ＋４．３２ＧＨｚモード、またはそれらの任意の組合せを含むことが可能であるが、それらには限定されない。たとえば、２．１６ＧＨｚの帯域幅における２つのチャネル（たとえば、＃１および＃２）９１０が、４．３２ＧＨｚの帯域幅を有するチャネル（たとえば、＃９）９１５を形成することが可能である。同様に、４．３２ＧＨｚの帯域幅９１５におけるチャネルおよび２．１６ＧＨｚの帯域幅９１０におけるチャネルが、６．４８ＧＨｚの帯域幅を有するチャネル（たとえば、＃１７）９２０を形成することが可能である。加えて、４．３２ＧＨｚの帯域幅における２つのチャネル（たとえば、＃９および＃１１）９１５、または２．１６ＧＨｚにおける１つのチャネル（たとえば、＃１）９１０および６．４８ＧＨｚにおける１つのチャネル（たとえば、＃１８）９２０が、８．６４ＧＨｚの帯域幅におけるチャネル（たとえば、＃２５）９２５を形成することが可能である。チャネルボンディングに関しては、１つの波形が使用されることが可能であり、結合されたチャネルの中央に中心周波数が配置されることが可能である。チャネルアグリゲーションに関しては、個別の波形が個別のアグリゲートされたチャネル上で使用されることが可能であり、それぞれが自身の中心周波数を有することが可能である。
【００８１】
チャネルボンディングまたはチャネルアグリゲーションを実施するために、ＥＤＭＧデバイスのためのＰＨＹヘッダであるＥＤＭＧ−Ｈｅａｄｅｒ−Ａが、帯域幅、チャネルコーディング（たとえば、チャネルボンディングとチャネルアグリゲーションとの間を区別するための）、プライマリチャネルなどのフィールドを含むことが可能である。これらのフィールドは、ＲＴＳ／ＣＴＳセットアップのための制御トレーラなどに含まれることが可能である。効率的なチャネルボンディングオペレーションのための帯域幅情報を搬送するために、複製されたＲＴＳ／ＣＴＳアプローチが使用されることが可能である。
【００８２】
上述されているように、ＩＥＥＥ８０２．１１ａｙは、ＭＩＭＯおよびマルチチャネル送信をサポートしている。しかしながら、ポーリング、要求、および許可手順（たとえば、ＩＥＥＥ８０２．１１ａｄに関して上述されているような）は、単一のチャネル上での単一のデータストリームの送信用に設計されており、ＭＩＭＯ／マルチチャネル送信をサポートしていない。たとえば、ＡＰ／ＳＴＡが、ポールフレームを使用してＳＴＡにポーリングを行うことが可能であり、ＳＴＡは、送信時間の割り当てを要求するためにＳＰＲフレームを用いて応答すると予想される。ポーリング期間は、２つのステップを含むことが可能である。第１のステップにおいては、ＡＰ／ＰＣＰが、次々とＳＴＡにポーリングを行うことが可能であり、ポーリングフレームは、毎回単一のＳＴＡへアドレス指定されることが可能である。第２のステップにおいては、ＳＴＡは、前のポールフレームにおいて示されている所望の時間オフセットでＳＰＲフレームを用いて応答することが可能である。別の例においては、ソースＳＴＡと宛先ＳＴＡとの間においてタイムスロットを割り当てるために、ＡＰ／ＰＣＰによって個別の許可フレームが送信されることが可能である。ソースＳＴＡと宛先ＳＴＡとの間における指向送信は、許可フレームに続くことが可能である。したがって、下位互換性を保持しながらＭＩＭＯ／マルチチャネルと互換性のあるポーリング、要求、および許可手順を提供することによってＩＥＥＥ８０２．１１ａｙをサポートする方法および装置を有することが望ましいであろう。
【００８３】
実施形態の第１のセットは、拡張ポールおよび要求手順を含む。実施形態の１つのセットにおいては、レガシポール／ＳＰＲおよび拡張ポール／ＳＰＲ（ＥＰｏｌｌ／ＥＳＰＲ）は、時間において分離することが可能である。実施形態の別のセットにおいては、ポール／ＳＰＲおよびＥＰｏｌｌ／ＥＳＰＲは、周波数において、または空間ドメインにおいて分離することが可能である。これらの実施形態においては、「レガシ」は、ＩＥＥＥ８０２．１１ａｄまたは従来のＷＬＡＮ標準に関連したあらゆるコンセプトまたは考えを指すことが可能であり、「拡張」は、ＩＥＥＥ８０２．１１ａｙまたはより新しいＷＬＡＮ標準に関連したあらゆるコンセプトまたは考えを指すことが可能である。たとえば、「レガシ」という用語は、ＤＭＧを指すことが可能であり、「拡張」という用語は、拡張ＤＭＧ（ＥＤＭＧ）を指すことが可能である。拡張Ｐｏｌｌ、拡張ＳＰＲ、および拡張Ｇｒａｎｔフレームは、ＩＥＥＥ８０２．１１標準において定義されている媒体アクセス制御（ＭＡＣ）フレームであることが可能である。
【００８４】
レガシＰｏｌｌ／ＳＰＲおよびＥＰｏｌｌ／ＥＳＰＲフレームが時間において分離する実施形態においては、レガシＰｏｌｌが最初に送信されて、ＥＰｏｌｌが続くことが可能である。レガシＳＰＲが、ＥＰｏｌｌの後に送信されて、ＥＳＰＲが続くことが可能である。あるいは、レガシＰｏｌｌおよびＳＰＲが、ＥＰｏｌｌおよびＥＳＰＲの後に送信されることが可能である。別の代替形態においては、ポーリング期間のはじめに、レガシＰｏｌｌおよびＳＰＲを含むレガシポーリング期間が実行されることが可能である。レガシポーリング期間の後に、ＥＰｏｌｌおよびＥＳＰＲを含む拡張ポーリングが実行されることが可能である。
【００８５】
ＥＰｏｌｌおよびＥＳＰＲフレームは、ＭＩＭＯおよびマルチチャネル能力に関する情報、ならびにＭＩＭＯおよびマルチチャネル送信に関する制御情報を含むことが可能である。この情報は、ＰＣＰ／ＡＰとＳＴＡとの間において、ＳＴＡの間において、またはＰＣＰ／ＡＰの間においてやり取りされることが可能である。たとえば、ＰＣＰ／ＡＰは、この情報に基づいてＭＩＭＯおよび／またはマルチチャネル送信のための割り当てをＳＴＡに許可することが可能である。その後に、拡張許可フレームを用いて、送信機および受信機は、ビームペアリング情報およびその他のＭＩＭＯおよびマルチチャネル関連の情報を取得することが可能である。したがって、ＭＩＭＯセットアップフレームおよび／またはマルチチャネルセットアップフレームは、ＥＰｏｌｌおよびＥＳＰＲフレームに基づいて動的割り当てにおいて任意選択であることまたは省略されることが可能である。
【００８６】
図１０は、第１の例示的な拡張ポールおよび要求手順を示している。この例においては、レガシＰｏｌｌ／ＳＰＲ１０３０、１０３５、１０５５、１０６０、およびＥＰｏｌｌ／ＥＳＰＲ１０４０、１０４５、１０５０、１０６５、１０７０、１０７５は、時間において分離することが可能であり、ＥＰｏｌｌ１０４０、１０４５、１０５０、およびＥＳＰＲ１０６５、１０７０、１０７５は、フレームにおいて個々にアドレス指定されることが可能である。図１０において示されているように、ＰＣＰ／ＡＰ１０２０が、コンテンションまたはスケジューリングによって媒体を取得することが可能であり、特定の条件が満たされた場合にポーリング期間（ＰＰ）１００５を開始することが可能である。ＰＰ１００５は、レガシＰｏｌｌ１０３０、１０３５、および拡張Ｐｏｌｌ１０４０、１０４５、１０５０を含むことが可能である。
【００８７】
ＰＣＰ／ＡＰ１０２０は、レガシＰＰＤＵを使用してレガシＰｏｌｌフレーム１０３０、１０３５を送信することが可能である。レガシＰｏｌｌフレーム１０３０、１０３５は、ｘフレーム間間隔（ｘＩＦＳ）持続時間によって分離することが可能である。たとえば、ｘＩＦＳは、ショートビームフォーミングフレーム間間隔（ＳＢＩＦＳ）、ビームリファインメントプロトコルフレーム間間隔（ＢＲＰＩＦＳ）、ミディアムビームフォーミングフレーム間間隔（ＭＢＩＦＳ）、ロングビームフォーミングフレーム間間隔（ＬＢＩＦＳ）などであることが可能である。レガシＰｏｌｌフレーム１１３０、１１３５における応答オフセットフィールドは、時間におけるオフセットを示すことが可能であり、それは、ＥＰｏｌｌフレーム１０４０、１０４５、１０５０のために使用される持続時間を含むように計算されることが可能である。
【００８８】
最後のレガシＰｏｌｌフレーム（すなわちＰｏｌｌ  Ｎ）１０３５の終わりのｘＩＦＳ持続時間後に、ＰＣＰ／ＡＰ１０２０は、ＥＰｏｌｌフレーム１０４０、１０４５、１０５０を送信することが可能である。たとえば、ｘＩＦＳは、ＳＢＩＦＳ、またはＳＢＩＦＳよりもわずかに長い持続時間であることが可能である。ＥＰｏｌｌフレーム１０４０、１０４５、１０５０は、ｙＩＦＳ持続時間によって分離することが可能である。たとえば、ｙＩＦＳ持続時間は、ＳＢＩＦＳであることが可能であり、またはＳＢＩＦＳよりもわずかに長いことが可能である。ｙＩＦＳ持続時間の例は、ＳＢＦＳ、ＢＲＰＩＦＳ、ＭＢＩＦＳ、およびＬＢＩＦＳを含むことが可能であるが、それらには限定されない。
【００８９】
ＥＰｏｌｌ  ＭＡＣフレーム１０４０、１０４５、１０５０は、ＳＴＡ１０２５へ個々にアドレス指定されることが可能である。このケースにおいては、ＥＰｏｌｌ  ＭＡＣフレーム１０４０、１０４５、１０５０のＲＡフィールドは、受信側ＳＴＡ１０２５のＭＡＣアドレスであることが可能である。それぞれのＥＰｏｌｌフレーム１０４０、１０４５、１０５０は、応答オフセットフィールド、チャネルオフセットフィールド、応答アンテナ設定および／または応答セクタ設定および／または応答分極設定フィールド、ＥＳＰＲフィールドなどを搬送することが可能である。応答オフセットフィールドは、時間におけるオフセット（たとえば、１μｓの単位での）を示すことが可能である。オフセットは、ＥＰｏｌｌフレーム１０４０、１０４５、１０５０の終わりと、それらのそれぞれのＥＳＰＲフレーム１０６５、１０７０、１０７５との間におけるタイムピリオドであることが可能である。たとえば、ＥＰｏｌｌ１フレーム１０４０に含まれているオフセットは、ＥＳＰＲ１フレーム１０６５がＰＣＰ／ＡＰ１０２０へ送信される必要があるタイムピリオドを示すことが可能である。チャネルオフセットフィールドは、ＥＰｏｌｌフレーム１０４０、１０４５、１０５０に含まれることが可能であり、それは、対応するＥＳＰＲフレーム１０６５、１０７０、１０７５が送信されることが可能である１つまたは複数のチャネルを示すことが可能である。応答アンテナ設定、応答セクタ設定、および／または応答分極設定フィールドは、ＥＳＰＲフレーム１０６５、１０７０、１０７５のためのアンテナ／セクタ／分極設定を示すことが可能である。実施形態においては、これらのアンテナ／セクタ／分極設定は、空間オフセットと呼ばれることが可能である。ＥＳＰＲフィールドは、予想される応答フレームがＳＰＲ１０５５、１０６０であるか、またはＥＳＰＲフレーム１０６５、１０７０、１０７５であるかを示すことが可能である。
【００９０】
ＥＰｏｌｌフレーム１０４０、１０４５、１０５０を搬送する物理レイヤ（ＰＨＹ）プロトコルデータユニット（ＰＰＤＵ）は、レガシＰＰＤＵまたは拡張ＰＰＤＵであることが可能である。レガシＰＰＤＵは、プライマリチャネル上で単一のデータストリームを用いて送信されることが可能である。ＰＣＰ／ＡＰ１０２０にとって複数のチャネルが利用可能である場合には、ＰＰＤＵの送信は、位相回転を伴って、または伴わずにそれぞれのチャネル上で複製されることが可能である。拡張ＰＰＤＵは、１つまたは複数のチャネル上で１つまたは複数のデータストリームを用いて送信されることが可能である。ＰＰＤＵは、単一のデータ送信のために準全方向またはビーム形成された方向を使用して送信されることが可能であり、それは、ＰＣＰ／ＡＰ１０２０とＳＴＡ１０２５との間において前もってトレーニングされておくことが可能である。
【００９１】
ＰＣＰ／ＡＰ１０２０からＰｏｌｌ／ＥＰｏｌｌフレーム１０３０、１０３５、１０４０、１０４５、１０５０を受信したＳＴＡは、ＳＰＲフレーム１０５５、１０６０またはＥＳＰＲフレーム１０６５、１０７０、１０７５を、対応するＰｏｌｌ／ＥＰｏｌｌフレーム１０３０、１０３５、１０４０、１０４５、１０５０において示されているオフセット持続時間の後に送信することが可能である。レガシＰｏｌｌ１０３０、１０３５によってポーリングされることが可能であるＳＴＡ１０２５は、レガシＳＰＲフレーム１０５５、１０６０を用いて応答することが可能である。ＥＰｏｌｌフレーム１０４０、１０４５、１０５０によってポーリングされることが可能であるＳＴＡ１０２５は、ＥＰｏｌｌフレーム１０４０、１０４５、１０５０において示されているＥＳＰＲフィールドに応じて、レガシＳＰＲフレーム１０５５、１０６０またはＥＳＰＲフレーム１０６５、１０７０、１０７５のいずれかを用いて応答することが可能である。ＥＰｏｌｌフレーム１０４０、１０４５、１０５０におけるＥＳＰＲフィールドが省略されている場合には、ＥＰｏｌｌフレーム１０４０、１０４５、１０５０に対する応答フレームは、ＥＳＰＲフレーム１０６５、１０７０、１０７５であることが可能である。
【００９２】
ＳＰＲフレーム１０５５、１０６０は、単一のストリーム送信を使用してプライマリチャネル上でレガシＰＰＤＵにおいて搬送されることが可能である。ＳＰＲフレーム１０５５、１０６０は、準全方向またはビーム形成された方向を使用して送信されることが可能である。ＥＳＰＲフレーム１０６５、１０７０、１０７５は、拡張デバイスによって完全に理解されることが可能であり、ＥＳＰＲフレーム１０６５、１０７０、１０７５は、ＭＩＭＯ制御フィールド、マルチチャネル制御フィールド、ＭＵ／ＳＵ制御フィールド、変調およびコーディングスキーム（ＭＣＳ）制御フィールド、動的割り当て情報フィールドなどを搬送することが可能である。
【００９３】
ＭＩＭＯ制御フィールドは、いくつかのサブフィールドを含むことが可能であり、ＥＳＰＲフレーム１０６５、１０７０、１０７５、およびその他の制御または管理フレームのために使用されることが可能である。ＭＩＭＯ制御フィールドがＥＳＰＲフレーム１０６５、１０７０、１０７５に含まれている場合には、ＭＩＭＯ制御フィールドは、ＭＩＭＯがサポートされるサブフィールド、分極がサポートされるサブフィールド、データストリーム数サブフィールド、ＭＩＭＯトレーニングサブフィールドなどを搬送することが可能である。ＭＩＭＯがサポートされるサブフィールドは、ＭＩＭＯがＳＴＡ１０２５によってサポートされているかどうかを示すことが可能である。分極がサポートされるサブフィールドは、分極がサポートされているかどうかを示すことが可能である。データストリーム数サブフィールドは、要求されている割り当てにおいて送信されることになるデータストリームの提案される数を示すことが可能である。ＭＩＭＯトレーニングサブフィールドは、要求されている割り当てにおいてソースと宛先との間でアナログＭＩＭＯ／ビームフォーミング（ＢＦ）トレーニングおよびデジタルＭＩＭＯ／ＢＦトレーニングが用意されているかどうかを示すことが可能である。
【００９４】
マルチチャネル制御フィールドは、いくつかのサブフィールドを含むことが可能であり、ＥＳＰＲフレーム１０６５、１０７０、１０７５、およびその他の制御または管理フレームのために使用されることが可能である。マルチチャネル制御フィールドがＥＳＰＲフレーム１０６５、１０７０、１０７５に含まれている場合には、そのフィールドは、チャネルアグリゲーションサブフィールド、チャネルごとのビームサブフィールドなどを搬送することが可能である。チャネルアグリゲーションサブフィールドは、チャネルアグリゲーションまたはチャネルボンディングがＳＴＡ１０２５によってサポートされているかどうかを示すことが可能である。チャネルごとのビームサブフィールドは、チャネルごとにサポートされている同時ビームの数を示すことが可能である。実施形態においては、このチャネルごとのビームサブフィールドは、ＭＩＭＯ制御サブフィールドに含まれることが可能である。
【００９５】
マルチユーザ／シングルユーザ（ＭＵ／ＳＵ）制御フィールドは、要求されている割り当てに関してＭＵまたはＳＵが提案および／またはサポートされているかどうかを示すことが可能である。ＭＣＳ制御フィールドは、いくつかのサブフィールドを含むことが可能であり、ＥＳＰＲフレーム１０６５、１０７０、１０７５、およびその他の制御または管理フレームのために使用されることが可能である。ＭＣＳ制御フィールドがＥＳＰＲフレーム１０６５、１０７０、１０７５に含まれている場合には、ＭＣＳ制御フィールドは、ＭＣＳサブフィールド、空間時間ブロックコーディング（ＳＴＢＣ：space time block coding）サブフィールド、空間ストリームの数サブフィールド、ショート／ロング低密度パリティチェック（ＬＤＰＣ）サブフィールドなどを搬送することが可能である。ＭＣＳサブフィールドは、要求されている割り当てにおいて使用されることになる提案されるＭＣＳレベルを示すことが可能である。ＳＴＢＣサブフィールドは、ＳＴＢＣが提案および／またはサポートされているかどうかを示すことが可能である。空間ストリームの数サブフィールドは、要求されている割り当てに関して提案および／またはサポートされている空間ストリームの数を示すことが可能である。ショート／ロングＬＤＰＣサブフィールドは、要求されている割り当てに関する提案されているショートまたはロングＬＤＰＣコードを示すことが可能である。
【００９６】
動的割り当て情報フィールドは、ＭＩＭＯ制御およびマルチチャネル制御フィールドに基づいて計算されることが可能である。たとえば、２つのチャネルを用いたチャネルアグリゲーションを使用する２つのデータストリーム送信がＭＩＭＯ制御およびマルチチャネル制御フィールドにおいて要求されている場合には、対応する割り当て持続時間は、４という係数を考慮に入れることが可能である。代替として、または追加として、割り当て持続時間フィールドは常に、１つのチャネル上での単一のストリーム送信に基づいて計算されることが可能である。このケースにおいては、ＰＣＰ／ＡＰ１０２０は、割り当てられたデータストリームおよびチャネルに基づいて実際の持続時間を計算することが可能である。
【００９７】
ＥＳＰＲフレーム１０６５、１０７０、１０７５を搬送するＰＰＤＵは、レガシＰＰＤＵまたは拡張ＰＰＤＵであることが可能である。レガシＰＰＤＵは、プライマリチャネル上で単一のデータストリームを用いて送信されることが可能である。ＰＣＰ／ＡＰ１０２０にとって複数のチャネルが利用できることが可能である場合には、ＰＰＤＵの送信は、位相回転を伴って、または伴わずにそれぞれのチャネル上で複製されることが可能である。拡張ＰＰＤＵは、１つまたは複数のチャネル上で１つまたは複数のデータストリームを用いて送信されることが可能である。ＰＰＤＵは、単一のデータ送信のために準全方向またはビーム形成された方向を使用して送信されることが可能であり、それは、ＰＣＰ／ＡＰとＳＴＡとの間において前もってトレーニングされておくことが可能である。
【００９８】
上のパラグラフにおいて記述されているフィールドは、シャッフルされることが可能である（すなわち、１つのフィールドに関して定義されているサブフィールドが、別のフィールドに含まれることが可能であり、またはフィールドとしてＥＳＰＲフレーム１０６５、１０７０、１０７５に直接含まれることが可能である）。
【００９９】
図１１は、第２の例示的な拡張ポールおよび要求手順を示している。この例においては、レガシＰｏｌｌ／ＳＰＲフレーム１１３０、１１３５、１１５０、１１５５が、それぞれＥＰｏｌｌ／ＥＳＰＲフレーム１１４０、１１４１、１１４３、１１４５、１１４６、１１４８、１１６０、１１６５、１１７０の前に実行されることが可能である。レガシＰｏｌｌ／ＳＰＲ１１３０、１１３５、１１５０、１１５５、およびＥＰｏｌｌ／ＥＳＰＲ１１４０、１１４５、１１６０、１１６５、１１７０は、時間において分離しており、ＥＳＰＲフレーム１１６０、１１６５、１１７０は、フレームにおいて個々にアドレス指定されることが可能である。ＥＰｏｌｌフレーム１３４０、１３４３、１３４１、１３４５、１３４６、１３４８は、ダウンリンク（ＤＬ）ＭＵ送信、たとえばＭＵ−ＭＩＭＯおよびマルチチャネルＭＵ送信を使用して送信されることが可能である。
【０１００】
図１０において記述されている実施形態と同様に、図１１においては、ＰＣＰ／ＡＰ１１２０が、コンテンションまたはスケジューリングによって媒体を取得することが可能であり、特定の条件が満たされた場合にポーリング期間（ＰＰ）１１０５を開始することが可能である。最後のレガシＰｏｌｌフレーム（すなわちＰｏｌｌ  Ｎ）１１３５の終わりのｘＩＦＳ持続時間後に、ＰＣＰ／ＡＰ１１２０は、ＥＰｏｌｌフレーム１１４０、１１４１、１１４３、１１４５、１１４６、１１４８を送信することが可能である。ＥＰｏｌｌ  ＭＡＣフレーム１１４０、１１４１、１１４３、１１４５、１１４６、１１４８は、ＳＴＡ１１２５へ個々にアドレス指定されることが可能である。このケースにおいては、ＥＰｏｌｌ  ＭＡＣフレーム１１４０、１１４１、１１４３、１１４５、１１４６、１１４８のＲＡフィールドは、受信機１１２５のＭＡＣアドレスであることが可能である。それぞれのＥＰｏｌｌ  ＭＡＣフレーム１１４０、１１４１、１１４３、１１４５、１１４６、１１４８は、上述されているような応答オフセットフィールド、チャネルオフセットフィールド、応答アンテナ設定および／または応答セクタ設定および／または応答分極設定フィールド、ならびにＥＳＰＲフィールドを搬送することが可能である。あるいは、ＥＰｏｌｌ  ＭＡＣフレーム１１４０、１１４１、１１４３、１１４５、１１４６、１１４８は、ＳＴＡ１１２５のグループへアドレス指定されるグループであることが可能である。このケースにおいては、ＥＰｏｌｌフレーム１１４０、１１４１、１１４３、１１４５、１１４６、１１４８のＲＡフィールドは、マルチキャストＭＡＣアドレス、ブロードキャストＭＡＣアドレスなどであることが可能である。ＳＴＡ１１２５のグループは、ＥＰｏｌｌ  ＭＡＣフレーム１１４０、１１４１、１１４３、１１４５、１１４６、１１４８において指定されている情報に基づいて自身の応答を用意することが可能である。
【０１０１】
個々にアドレス指定されるＥＰｏｌｌフレーム１１４０、１１４１、１１４３、１１４５、１１４６、１１４８に関して上述されているフィールドに加えて、またはその代替として、グループでアドレス指定されるＥＰｏｌｌフレーム１１４０、１１４１、１１４３、１１４５、１１４６、１１４８は、ＳＴＡの数フィールドおよび１つまたは複数のＳＴＡ情報フィールドを含むことが可能である。ＳＴＡの数フィールドは、ＥＰｏｌｌフレーム１１４０、１１４１、１１４３、１１４５、１１４６、１１４８によってアドレス指定されるＳＴＡの数を示すことが可能である。ＳＴＡ情報フィールドは、ＳＴＡがＳＰＲ／ＥＳＰＲフレーム１１５０、１１５５、１１６０、１１６５、１１７０を送り返すための宛先アソシエーション識別子（ＡＩＤ）および時間／周波数／空間オフセット情報を示すことが可能である。ＥＰｏｌｌフレーム１１４０、１１４１、１１４３、１１４５、１１４６、１１４８において搬送されるＳＴＡ情報フィールドの数は、ＳＴＡの数フィールドによって決定されることが可能である。時間／周波数／空間オフセット情報は、個々にアドレス指定されるＥＰｏｌｌ  ＭＡＣフレーム１１４０、１１４１、１１４３、１１４５、１１４６、１１４８に関して記述されているのと同じであることが可能である。たとえば、時間オフセット情報は、応答オフセットフィールドにおいて示されているＥＰｏｌｌ１，１フレーム１１４１とＥＳＰＲ１，１フレーム１１６０との間におけるタイムピリオドを指すことが可能である。周波数オフセットは、ＥＳＰＲフレーム１１６０、１１６５、１１７０が送信される１つまたは複数のチャネルを指すことが可能である。空間オフセットは、応答アンテナ設定および／または応答セクタ設定および／または応答分極設定フィールドにおいて示されているアンテナ設定またはセクタ設定を指すことが可能である。
【０１０２】
ＥＰｏｌｌフレーム１１４０、１１４１、１１４３、１１４５、１１４６、１１４８を搬送するＰＰＤＵは、拡張ＰＰＤＵであることが可能である。ＥＰｏｌｌフレーム１１４０、１１４１、１１４３、１１４５、１１４６、１１４８が個々にアドレス指定されるケースにおいては、ＭＵ−ＰＰＤＵが使用されることが可能である。たとえば、はじめに一般的なプリアンブルが送信されることが可能であり、ユーザ固有のプリアンブルおよびユーザ固有のデータ部分が続くことが可能である。ＭＵ−ＭＩＭＯが使用される場合には、それぞれのＳＴＡのためのデータ部分は、空間署名において搬送されることが可能である。マルチチャネルＭＵ送信が使用される場合には、それぞれのＳＴＡのためのデータ部分は、１つまたは複数のチャネルにおいて搬送されることが可能である。ＥＰｏｌｌフレームが１１４０、１１４１、１１４３、１１４５、１１４６、１１４８グループでアドレス指定されるケースにおいては、複数のＳＴＡへアドレス指定された同じＥＰｏｌｌフレーム１１４０、１１４１、１１４３、１１４５、１１４６、１１４８は、すべての空間署名およびチャネルを使用して搬送されることが可能である。たとえば、同じフレームが、１つまたは複数の空間ビームを使用して送信されることが可能であり、複数のチャネル上で位相回転を伴って、または伴わずに繰り返されることが可能である。ＰＰＤＵは、単一のデータ送信のために準全方向またはビーム形成された方向を使用して送信されることが可能であり、それは、ＰＣＰ／ＡＰ１１２０とＳＴＡ１１２５との間において前もってトレーニングされておくことが可能である。
【０１０３】
図１１において示されている実施形態と同様に、図１１においては、ＰＣＰ／ＡＰ１１２０からＰｏｌｌ／ＥＰｏｌｌフレーム１１３０、１１３５、１１４０、１１４１、１１４３、１１４５、１１４６、１１４８を受信したＳＴＡ１１２５は、ＳＰＲ１１５０、１１５５またはＥＳＰＲフレーム１１６０、１１６５、１１７０を、対応するＰｏｌｌ／ＥＰｏｌｌフレーム１１３０、１１３５、１１４０、１１４１、１１４３、１１４５、１１４６、１１４８において示されているオフセット持続時間の後に送信することが可能である。レガシＰｏｌｌフレーム１１３０、１１３５によってポーリングされることが可能であるＳＴＡ１１２５は、レガシＳＰＲフレーム１１５０、１１５５を用いて応答することが可能である。ＥＰｏｌｌフレーム１１４０、１１４１、１１４３、１１４５、１１４６、１１４８によってポーリングされることが可能であるＳＴＡ１１２５は、ＥＰｏｌｌフレーム１１４０、１１４１、１１４３、１１４５、１１４６、１１４８において示されているＥＳＰＲフィールドに応じて、レガシＳＰＲフレーム１１５０、１１５５またはＥＳＰＲフレーム１１６０、１１６５、１１７０のいずれかを用いて応答することが可能である。ＥＰｏｌｌフレーム１１４０、１１４１、１１４３、１１４５、１１４６、１１４８におけるＥＳＰＲフィールドが省略されている場合には、ＥＰｏｌｌフレーム１１４０、１１４１、１１４３、１１４５、１１４６、１１４８に対する応答は、ＥＳＰＲフレーム１１６０、１１６５、１１７０であることが可能である。ＳＰＲフレーム１１５０、１１５５およびＥＳＰＲフレーム１１６０、１１６５、１１７０は、図１１において記述されているＳＰＲフレーム１１５５、１１６０およびＥＳＰＲフレーム１１６５、１１７０、１１７５と同じであることが可能であり、したがって、それらのフレームの詳細は、ここでは繰り返されない。
【０１０４】
図１１において示されている実施形態のケースと同様に、図１１においては、ＥＳＰＲフレーム１１６０、１１６５、１１７０を搬送するＰＰＤＵは、プライマリチャネル上で単一のデータストリームを用いて送信されるレガシＰＰＤＵ、または１つもしくは複数のチャネル上で１つもしくは複数のデータストリームを用いて送信される拡張ＰＰＤＵであることが可能である。レガシＰＰＤＵに関して、ＰＣＰ／ＡＰ１１２０にとって複数のチャネルが利用できることが可能である場合には、ＰＰＤＵの送信は、位相回転を伴って、または伴わずにそれぞれのチャネル上で複製されることが可能である。ＰＰＤＵは、単一のデータ送信のために準全方向またはビーム形成された方向を使用して送信されることが可能であり、それは、ＰＣＰ／ＡＰ１１２０とＳＴＡ１１２５との間において前もってトレーニングされておくことが可能である。
【０１０５】
図１０において示されている実施形態と同様に、図１１においては、上述されているフィールドおよびサブフィールドは、シャッフルされることが可能である（すなわち、１つのフィールドに関して定義されているサブフィールドが、別のフィールドに含まれることが可能であり、またはフィールドとしてＥＳＰＲフレーム１０６５、１０７０、１０７５に直接含まれることが可能である）。
【０１０６】
図１２は、第３の例示的な拡張ポールおよび要求手順を示している。この例においては、レガシポールフレーム１２３０、１２３５、およびＳＰＲフレーム１２５０、１２５５が、それぞれＥＰｏｌｌフレーム１２４０、１２４１、１２４３、１２４５、１２４６、１２４８、およびＥＳＰＲフレーム１２６０、１２６１、１２６３、１２６５、１２６６、１２６８の前に実行されることが可能である。レガシポール／ＳＰＲ１２３０、１２３５、１２５０、１２５５、およびＥＰｏｌｌ／ＥＳＰＲ１２４０、１２４１、１２４３、１２４５、１２４６、１２４８、１２６０、１２６１、１２６３、１２６５、１２６６、１２６８フレームは、時間において分離することが可能である。ＥＰｏｌｌフレーム１２４０、１２４１、１２４３、１２４５、１２４６、１２４８、およびＥＳＰＲフレーム１２６０、１２６１、１２６３、１２６５、１２６６、１２６８の両方は、ＭＵ送信、たとえばＭＵ−ＭＩＭＯおよびマルチチャネルＭＵ送信を使用して送信されることが可能である。
【０１０７】
図１２において示されている実施形態に関する方法およびフレーム構造は、下記の例外を除いて、図１１において記述されている方法およびフレーム構造と同じまたは同様である。図１２においては、２つ以上のＳＴＡ１２２５がＥＰｏｌｌフレーム１２４０、１２４１、１２４３、１２４５、１２４６、１２４８を同じ時間オフセットで受信できることが可能である。このケースにおいては、２つ以上のＳＴＡ１２２５が、ＭＵ送信を同時に使用して（すなわち、ＵＬ  ＭＵ送信）ＥＳＰＲフレーム１２６０、１２６１、１２６３、１２６５、１２６６、１２６８を送信することが可能である。加えて、ＰＣＰ／ＡＰ１２２０は、１つのフィールド（たとえば、ＭＵ  ＥＳＰＲフィールド）を使用してＳＴＡ１２２５に潜在的なＵＬ  ＭＵ送信を示すことが可能である。その他のＵＬ−ＭＵ送信関連の情報、たとえば、来たるアップリンク送信のＰＬＣＰヘッダ（たとえば、レガシヘッダまたは拡張ヘッダ）に含まれることになる情報が、ここで示されることが可能である。そのような情報は、たとえば、ＭＣＳ、空間ストリームの数（Ｎｓｓ）、ＬＤＰＣコードワードサイズ、帯域幅（ＢＷ）、チャネルアグリゲーション、ガードインターバル（ＧＩ）／サイクリックプレフィックス（ＣＰ）長さ、ＰＨＹレイヤサービスデータユニット（ＰＳＤＵ）長さ、適用されるＳＴＢＣなどを含むことが可能である。ＥＳＰＲフレーム１２６０、１２６１、１２６３、１２６５、１２６６、１２６８を搬送するＰＰＤＵに関しては、拡張ＰＰＤＵが１つまたは複数のチャネル上で１つまたは複数のデータストリームを用いて送信される場合には、その拡張ＰＰＤＵは、ＭＵ送信に含まれることが可能であり、そのＰＰＤＵ送信は、ＥＰｏｌｌフレーム１２４０、１２４１、１２４３、１２４５、１２４６、１２４８に続くことが可能である。
【０１０８】
図１０、図１１、および図１２において記述されている実施形態のうちのすべてにおいて、Ｐｏｌｌ、ＥＰｏｌｌ、ＳＰＲ、およびＥＳＰＲフレームにおける持続時間フィールドは、全期間をカバーするように設定されることが可能である。たとえば、合計でＮ個の送信されるレガシＰｏｌｌおよびＭ個のＥＰｏｌｌのうちのそれぞれのレガシＰｏｌｌフレームｉ内の持続時間フィールドは、下記の方程式（１）によって計算されることが可能である。
Duration_i = Duration_of_Poll_transmission_i,N + Duration_of_EPoll_transmission + Offset_of_SPR_transmission_N + Offset_of_ESPR_transmission_M. Equation (1)
Ｍ個のＥＰｏｌｌのうちのそれぞれのＥＰｏｌｌフレームｉ内の持続時間フィールドは、下記の方程式（２）によって計算されることが可能である。
Duration_i = Duration_of_EPoll_transmission_i,M + Offset_of_SPR_transmission_N + Offset_of_ESPR_transmission_M. Equation (2)
合計でＮ個の送信されるレガシＳＰＲおよびＭ個のＥＳＰＲのうちのそれぞれのレガシＳＰＲフレームｉ内の持続時間フィールドは、下記の方程式（３）によって計算されることが可能である。
Duration_i = Duration_of_SPR_transmission_i,N + Offset_of_ESPR_transmission_M. Equation (3)
Ｍ個のＥＳＰＲのうちのそれぞれのＥＳＰＲフレームｉ内の持続時間フィールドは、下記の方程式（４）によって計算されることが可能である。
Duration_i = Duration_of_ESPR_transmission_i,M. Equation (4)
【０１０９】
上記の方程式のうちのそれぞれにおいて、Ｄｕｒａｔｉｏｎ＿ｏｆ＿ｘｘｘ＿ｔｒａｎｓｍｉｓｓｉｏｎ＿ｉ，ｋは、ｉ番目のフレームの終わりからｋ番目のフレームの終わりまでの持続時間（途中にあるすべてのフレーム間間隔およびアンテナ切り替え時間を考慮した）を指すことが可能である。Ｄｕｒａｔｉｏｎ＿ｏｆ＿ＥＰｏｌｌ＿ｔｒａｎｓｍｉｓｓｉｏｎは、最後のレガシＰｏｌｌフレームの終わりから最後のＥＰｏｌｌフレームの終わりまでの持続時間を指すことが可能である。さらに、Ｏｆｆｓｅｔ＿ｏｆ＿ＳＰＲ＿ｔｒａｎｓｍｉｓｓｉｏｎ＿ｊは、下記の方程式（５）によって計算されることが可能である。
Offset_of_SPR_transmission1 = Poll_SPR_space
Offset_of_SPR_transmissionj = Offset_of_SPR_transmissionj-1+floor(TXTIME(SPRj)+SIFS,aTSFResolution)+1 , Equation (5)
この場合、Ｐｏｌｌ＿ＳＰＲ＿ｓｐａｃｅは、ＰＣＰ／ＡＰによって送信される最後のＥＰｏｌｌフレームの終わりと、非ＰＣＰ／非ＡＰ  ＳＴＡによる第１のレガシＳＰＲフレームの予想される開始時間との間におけるタイムインターバルであることが可能である。
【０１１０】
Ｏｆｆｓｅｔ＿ｏｆ＿ＥＳＰＲ＿ｔｒａｎｓｍｉｓｓｉｏｎ＿ｊは、下記の方程式（６）によって計算されることが可能である。
Offset_of_ESPR_transmission1 = Poll_ESPR_space
Offset_of_ESPR_transmissionj = Offset_of_ESPR_transmissionj-1+floor(TXTIME(ESPRj)+xlFS,aTSFResolution)+1 , Equation (6)
この場合、Ｐｏｌｌ＿ＥＳＰＲ＿ｓｐａｃｅは、非ＰＣＰ／非ＡＰ  ＳＴＡによって送信される最後のＳＰＲフレームの終わりと、非ＰＣＰ／非ＡＰ拡張ＳＴＡによる第１のＥＳＰＲフレームの予想される開始時間との間におけるタイムインターバルであることが可能である。
【０１１１】
下位互換性のあるポーリング期間設計の実施形態においては、レガシＰｏｌｌおよびレガシＳＰＲフレームの両方に、ＥＰｏｌｌおよびＥＳＰＲフレームが続くことが可能である。図１３は、レガシポーリング期間に、拡張ポーリング期間が続くＰＰ１３０５を伴う例示的な拡張ポールおよび要求手順を示している。図１３において示されているように、ＰＰ１３０５のレガシポーリング期間（すなわちレガシＰｏｌｌおよびＳＰＲフレーム１３３０、１３３５、１３４０、１３４５）が、ＰＰ１３０５の拡張ポーリング期間（すなわちＥＰｏｌｌおよびＥＳＰＲフレーム１３５０、１３５５、１３６０、１３６５、１３７０、１３７５）の前に実行されることが可能である。ＧＰ１３１０およびデータ転送期間１３１５が、ＰＰ１３０５に続くことが可能である。この例においては、ＥＰｏｌｌフレーム１３５０、１３５５、１３６０、およびＥＳＰＲフレーム１３６５、１３７０、１３７５は、フレームにおいて個々にアドレス指定されることが可能である。加えて、ＤＬ  ＥＰｏｌｌ送信およびＵＬ  ＥＳＰＲ送信は、シングルユーザ（ＳＵ）送信を使用することが可能である。しかしながら、これは、マルチユーザ（ＭＵ）送信用に容易に拡張されることが可能である。図１３において示されている実施形態に関するフレーム構造およびフィールドは、図１０〜図１２において記述されているフレーム構造およびフィールドと同じまたは同様であることが可能である。
【０１１２】
図１３において記述されている実施形態においては、Ｐｏｌｌ、ＳＰＲ、ＥＰｏｌｌ、およびＥＳＰＲフレームにおける持続時間フィールドは、全期間をカバーするように設定されることが可能である。たとえば、合計でＮ個の送信されるレガシＰｏｌｌおよびＭ個のＥＰｏｌｌのうちのそれぞれのレガシＰｏｌｌフレームｉ内の持続時間フィールドは、下記の方程式（７）によって計算されることが可能である。
Duration_i = Duration_of_Poll_transmission_i,N + duration_of_EPoll_transmission + Offset_of_SPR_transmission_N + Offset_of_ESPR_transmission_M. Equation (7)
さらに、合計でＭ個のＥＰｏｌｌのうちのそれぞれのＥＰｏｌｌフレームｉ内の持続時間フィールドは、下記の方程式（８）によって計算されることが可能である。
Duration_i = Duration_of_EPoll_transmission_i,M + Offset_of_ESPR_transmission_M. Equation (8)
そして合計でＮ個の送信されるレガシＳＰＲおよびＭ個のＥＳＰＲのうちのそれぞれのレガシＳＰＲフレームｉ内の持続時間フィールドは、下記の方程式（９）によって計算されることが可能である。
Duration_i = Duration_of_SPR_transmission_i,N + Duration_of_EPoll_transmission +Offset_of_ESPR_transmission_M. Equation (9)
Ｍ個のＥＳＰＲのうちのそれぞれのＥＳＰＲフレームｉ内の持続時間フィールドは、下記の方程式（１０）によって計算されることが可能である。
Duration_i = Duration_of_ESPR_transmission_i,M. Equation (10)
これらの方程式（７）〜（１０）においては、表記は、上記の方程式（１）〜（６）と同じまたは同様であることが可能である。
【０１１３】
下位互換性のあるポーリング期間および許可期間設計の別の実施形態においては、レガシポーリング期間（ＰＰ）および許可期間（ＧＰ）に、拡張ＰＰおよびＧＰが続くことが可能である。図１４は、拡張データ転送１４３０が続く拡張ＰＰ１４１２０および拡張ＧＰ１４２５の前に、レガシデータ転送１４１４が続くレガシＰＰ１４０５およびレガシＧＰ１４１０が実行される例示的な拡張ポール要求手順を示している。この例においては、ＥＰｏｌｌおよびＥＳＰＲフレームは、フレームにおいて個々にアドレス指定されることが可能である。拡張ＰＰ１４２０は、ＳＵ送信またはＭＵ送信を使用することが可能である。この例においては、レガシＰｏｌｌおよびＧｒａｎｔフレームにおける持続時間フィールドは、レガシＰＰ１４０５およびＧＰ１４１０をカバーするように設定されることが可能であり、その一方で、拡張ＰｏｌｌおよびＧｒａｎｔフレームにおける持続時間フィールドは、拡張ＰＰ１４２０およびＧＰ１４２５をカバーするように設定されることが可能である。代替として、または追加として、レガシＰｏｌｌ／Ｇｒａｎｔフレームおよび拡張Ｐｏｌｌ／Ｇｒａｎｔフレームにおける持続時間フィールドは、全期間をカバーするように設定されることが可能である。図１４において示されている実施形態に関するフレーム構造およびフィールドは、図１０〜図１３において記述されているフレーム構造およびフィールドと同じまたは同様であることが可能である。
【０１１４】
図１０〜図１４に関して上述されている手順のうちのすべてに関して、ＥＭｉｎＰＰＤｕｒａｔｉｏｎが、動的割り当ての一部として、拡張ＰＰおよびＧＰの最小持続時間を示すことが可能であり、マイクロ秒で指定されることが可能である。ＥＭｉｎＰＰＤｕｒａｔｉｏｎは、レガシＰＰおよびＧＰの最小持続時間を示すことが可能であるＭｉｎＰＰＤｕｒａｔｉｏｎ以上であることが可能である。ＰＣＰ／ＡＰに関連付けられている間に、拡張ＳＴＡは、そのローカルＥｄｏｔ１１ＭｉｎＰＰＤｕｒａｔｉｏｎ変数の値を、それがそのＰＣＰ／ＡＰからこの要素を受信したときのこのフィールドの値でオーバーライドすることが可能である。拡張ＳＴＡは、それぞれのＳＰ／ＣＢＡＰの始まりからＥｄｏｔ１１ＭｉｎＰＰＤｕｒａｔｉｏｎに関してアウェイク状態にあることが可能であり、それは、動的割り当てのために使用されることが可能である。
【０１１５】
実施形態においては、レガシＰｏｌｌ／ＳＰＲフレームおよびＥＰｏｌｌ／ＥＳＰＲフレームは、周波数において、または空間ドメインにおいて分離することが可能である。この実施形態においては、ＰＣＰ／ＡＰは、複数のチャネルを取得または利用することが可能である。たとえば、レガシＰｏｌｌフレームは、プライマリチャネル上で送信されることが可能であり、ＥＰｏｌｌフレームは、チャネルのうちの残りの上で送信されることが可能である。ＳＰＲ／ＥＳＰＲフレームは、Ｐｏｌｌ／ＥＰｏｌｌフレームの後に送信されることが可能である。ＳＰＲフレームは、プライマリチャネル上で送信されることが可能であり、ＥＳＰＲフレームは、チャネルのうちの残りの上で送信されることが可能である。レガシＰｏｌｌおよびＥＰｏｌｌフレームならびにレガシＳＰＲおよびＥＳＰＲフレームの同時送信が同期されることが可能である。
【０１１６】
レガシポール／ＳＰＲおよびＥＰｏｌｌ／ＥＳＰＲフレームが周波数において、または空間ドメインにおいて分離する別の実施形態においては、ＰＣＰ／ＡＰは、ＰＰにおいてＭＵ−ＭＩＭＯ送信を使用することが可能である（すなわち、複数のユーザが、空間ドメインにおいて分離することが可能である）。レガシＰｏｌｌフレームは、１つの空間ストリームを介して送信されることが可能であり、ＥＰｏｌｌフレームは、残りの空間ストリーム上で送信されることが可能である。ＳＰＲ／ＥＳＰＲフレームは、Ｐｏｌｌ／ＥＰｏｌｌフレームの後に送信されることが可能である。ＳＰＲフレームは、１つの空間ストリーム上で送信されることが可能であり、ＥＳＰＲフレームは、空間ストリームのうちの残りの上で送信されることが可能である。レガシＰｏｌｌおよびＥＰｏｌｌフレーム、ならびにレガシＳＰＲおよびＥＳＰＲフレームの同時送信が同期されることが可能である。
【０１１７】
図１５は、同時レガシＰｏｌｌおよびＥＰｏｌｌ送信を伴う例示的な拡張ポールおよび要求手順を示している。１つのタイムスロットにおいて、レガシＰｏｌｌフレーム１５３１、１５３６が、プライマリチャネルまたは１つの空間ストリームを介して送信されることが可能であり、その一方で、ＥＰｏｌｌフレーム１５３０、１５３１、１５３５、１５３８が、その他のチャネル（たとえば、セカンダリチャネル）および／またはその他の空間ストリームを介して送信されることが可能である。たとえば、ポーリング期間（ＰＰ）１５０５の間に、レガシＳＴＡ１５２５が、プライマリチャネルを介してレガシＰｏｌｌフレーム１５３１、１５３６を受信することが可能であり、拡張ＳＴＡ１５２５が、セカンダリチャネルを介してＥＰｏｌｌフレーム１５３０、１５３３、１５３８を受信することが可能である。この例においては、ＰＣＰ／ＡＰ１５２０が、コンテンションまたはスケジューリングによって媒体を取得することが可能である。ＰＣＰ／ＡＰ１５２０は、特定の条件が満たされた場合にポーリング期間を開始することが可能である。ポーリング期間は、レガシＰｏｌｌフレーム１５３１、１５３６、および拡張Ｐｏｌｌフレーム１５３０、１５３３、１５３５、１５３８を含むことが可能である。
【０１１８】
ＰＣＰ／ＡＰ１５２０は、複数のチャネルを介して、および／または複数の空間ストリームを介して、レガシＰｏｌｌフレーム１５３１、１５３６をレガシＳＴＡ１５２５へ、および拡張Ｐｏｌｌフレーム１５３０、１５３３、１５３５、１５３８を、拡張ＳＴＡ１５２５へ同時に送信することが可能である。ＭＵ−ＭＩＭＯ送信が使用される場合には、レガシＰｏｌｌフレーム１５３１、１５３６は、レガシＰＰＤＵによって搬送されることが可能であり、それは、ＰＰＤＵの始まりから１つの空間ストリームを介して送信されることが可能である。拡張Ｐｏｌｌフレーム１５３０、１５３３、１５３５、１５３８は、拡張ＰＰＤＵまたはレガシＰＰＤＵによって搬送されることが可能であり、それらは、空間ストリームのうちの残りを介して送信されることが可能である。マルチチャネル送信が使用される場合には、レガシＰｏｌｌフレーム１５３１、１５３６は、レガシＰＰＤＵによって搬送されることが可能であり、それは、プライマリチャネルを介して送信されることが可能である。拡張Ｐｏｌｌフレーム１５３０、１５３３、１５３５、１５３８は、拡張ＰＰＤＵまたはレガシＰＰＤＵによって搬送されることが可能であり、それらは、チャネルのうちの残り（たとえばセカンダリチャネル）を介して送信されることが可能である。実施形態においては、拡張Ｐｏｌｌフレーム１５３０、１５３３、１５３５、１５３８は、拡張ＰＰＤＵまたはレガシＰＰＤＵによって搬送されることが可能であり、それらは、プライマリチャネルを介して送信されることが可能である。レガシＰｏｌｌフレーム１５３１、１５３６は、レガシＰＰＤＵによって搬送されることが可能であり、それは、チャネルのうちの残り（たとえばセカンダリチャネル）を介して送信されることが可能である。
【０１１９】
レガシＰｏｌｌフレーム１５３１、１５３６、およびＥＰｏｌｌフレーム１５３０、１５３３、１５３５、１５３８は、別々のフレームフォーマットおよび別々の長さを有することが可能であるが、レガシＰｏｌｌフレーム１５３１、１５３６、およびＥＰｏｌｌフレーム１５３０、１５３３、１５３５、１５３８の送信は、同期されることが可能である。言い換えれば、送信を同時に終了させるために、パディングが必要とされることが可能である。ＭＵ送信の終わりのｘＩＦＳ持続時間後に、ＰＣＰ／ＡＰ１５２０は、レガシＰｏｌｌフレーム１５３１、１５３６、およびＥＰｏｌｌフレーム１５３０、１５３３、１５３５、１５３８の別のセットをＳＴＡ１５２５の別のセットへ送信することが可能である。
【０１２０】
ＥＰｏｌｌフレーム１５３０、１５３３、１５３５、１５３８は、個々にアドレス指定されることが可能であり、応答オフセットフィールド、チャネルオフセットフィールド、応答アンテナ設定、応答セクタ設定、および／または応答分極設定フィールド、ＥＳＰＲフィールドなどを搬送することが可能である。応答オフセットフィールドは、時間におけるオフセット（たとえば、１μｓの単位での）を示すことが可能である。オフセットは、ＥＰｏｌｌフレーム１５３０、１５３３、１５３５、１５３８の終わりと、送信されることになるＰｏｌｌフレーム１５３１、１５３６に応答したＥＳＰＲフレーム１５４５、１５５０との間におけるタイムピリオドであることが可能である。チャネルオフセットフィールドは、ＥＰｏｌｌフレーム１５３０、１５３３、１５３５、１５３８に含まれることが可能であり、Ｐｏｌｌフレーム１５３１、１５３６に応答したＥＳＰＲフレーム１５４５、１５５０が送信されることが可能である１つまたは複数のチャネルを示すことが可能である。応答アンテナ設定、応答セクタ設定、および／または応答分極設定フィールドは、Ｐｏｌｌフレーム１５３１、１５３６に応答したＥＳＰＲフレーム１５４５、１５５０のためのアンテナ／セクタ／分極設定を示すことが可能である。ＥＳＰＲフィールドは、予想される応答フレームがＳＰＲフレーム１５４０であるか、またはＥＳＰＲフレーム１５４５、１５５０であるかを示すことが可能である。
【０１２１】
ＰＣＰ／ＡＰ１５２０からＰｏｌｌ／ＥＰｏｌｌフレーム１５３０、１５３１、１５３３、１５３５、１５３６、１５３８を受信したＳＴＡ１５２５は、ＳＰＲフレーム１５４０またはＥＳＰＲフレーム１５４５、１５５０を、対応するＰｏｌｌ１５３１、１５３６またはＥＰｏｌｌフレーム１５３０、１５３３、１５３５、１５３８において示されているオフセット持続時間の後に送信することが可能である。レガシポールフレーム１５３１、１５３６によってポーリングされるＳＴＡ１５２５は、レガシＳＰＲフレーム１５４０を用いて応答することが可能である。ＥＰｏｌｌフレーム１５３０、１５３３、１５３５、１５３８によってポーリングされるＳＴＡ１５２０は、ＥＰｏｌｌフレーム１５３０、１５３３、１５３５、１５３８において示されているＥＳＰＲフィールドに応じて、レガシＳＰＲフレーム１５４０またはＥＳＰＲフレーム１５４５、１５５０のいずれかを用いて応答することが可能である。ＥＰｏｌｌフレーム１５３０、１５３３、１５３５、１５３８におけるＥＳＰＲフィールドが省略されている場合には、ＥＰｏｌｌフレーム１５３０、１５３３、１５３５、１５３８に対する応答は、ＥＳＰＲフレーム１５４５、１５５０であることが可能である。
【０１２２】
ＳＰＲフレーム１５４０は、単一のストリーム送信を使用してプライマリチャネル上でレガシＰＰＤＵにおいて搬送されることが可能である。ＳＰＲフレーム１５４０は、準全方向またはビーム形成された方向を使用して送信されることが可能である。
【０１２３】
ＥＳＰＲフレーム１５４５、１５５０は、拡張デバイスによって完全に理解されることが可能である。ＥＳＰＲフレーム１５４５、１５５０は、ＭＩＭＯ制御フィールド、マルチチャネル制御フィールド、ＭＵ／ＳＵ制御フィールド、ＭＣＳ制御フィールド、動的割り当て情報フィールドなどを搬送することが可能である。ＭＩＭＯ制御フィールドは、いくつかのサブフィールドを含むことが可能であり、ＥＳＰＲフレーム１５４５、１５５０、およびその他の制御または管理フレームのために使用されることが可能である。ＭＩＭＯ制御フィールドがＥＳＰＲフレーム１５４５、１５５０に含まれている場合には、そのフィールドは、ＭＩＭＯがサポートされるサブフィールド、分極がサポートされるサブフィールド、データストリーム数サブフィールド、ＭＩＭＯトレーニングサブフィールドなどを搬送することが可能である。ＭＩＭＯがサポートされるサブフィールドは、ＭＩＭＯがＳＴＡ１５２５によってサポートされているかどうかを示すことが可能である。分極がサポートされるサブフィールドは、分極がサポートされているかどうかを示すことが可能である。データストリーム数サブフィールドは、要求されている割り当てにおいて送信されることになるデータストリームの提案される数を示すことが可能である。ＭＩＭＯトレーニングサブフィールドは、要求されている割り当てにおいてソースと宛先との間でアナログＭＩＭＯ／ＢＦトレーニングおよびデジタルＭＩＭＯ／ＢＦトレーニングが用意されているかどうかを示すことが可能である。
【０１２４】
マルチチャネル制御フィールドは、いくつかのサブフィールドを含むことが可能であり、ＥＳＰＲフレーム１５４５、１５５０、およびその他の制御または管理フレームのために使用されることが可能である。マルチチャネル制御フィールドがＥＳＰＲフレーム１５４５、１５５０に含まれている場合には、そのフィールドは、チャネルアグリゲーションサブフィールド、チャネルごとのビームサブフィールドなどを搬送することが可能である。チャネルアグリゲーションサブフィールドは、チャネルアグリゲーションまたはチャネルボンディングがサポートされているかどうかを示すことが可能であり、チャネルごとのビームサブフィールドは、チャネルごとにサポートされている同時ビームの数を示すことが可能である。代替として、または追加として、このサブフィールドは、ＭＩＭＯ制御サブフィールドに含まれることが可能である。
【０１２５】
ＭＵ／ＳＵ制御フィールドは、要求されている割り当てに関してＭＵまたはＳＵが提案および／またはサポートされているかどうかを示すことが可能である。ＭＣＳ制御フィールドは、いくつかのサブフィールドを含むことが可能であり、ＥＳＰＲフレーム１５４５、１５５０、およびその他の制御または管理フレームのために使用されることが可能である。ＭＣＳ制御フィールドがＥＳＰＲフレーム１５４５、１５５０に含まれている場合には、そのフィールドは、ＭＣＳサブフィールド、ＳＴＢＣサブフィールド、空間ストリームの数サブフィールド、ショート／ロングＬＤＰＣサブフィールドなどを搬送することが可能である。ＭＣＳサブフィールドは、要求されている割り当てにおいて使用されることになる提案されるＭＣＳレベルを示すことが可能である。ＳＴＢＣサブフィールドは、ＳＴＢＣが提案されているかどうかを示すことが可能である。空間ストリームの数サブフィールドは、要求されている割り当てに関して提案されている空間ストリームの数を示すことが可能である。ショート／ロングＬＤＰＣサブフィールドは、要求されている割り当てに関する提案されているショートまたはロングＬＤＰＣコードを示すことが可能である。
【０１２６】
動的割り当て情報サブフィールドは、ＭＩＭＯ制御およびマルチチャネル制御フィールドに基づいて計算されることが可能である。たとえば、２つのデータストリーム送信が、２つのチャネルのアグリゲーションを伴ってＭＩＭＯ制御およびマルチチャネル制御フィールドにおいて要求されている場合には、対応する割り当て持続時間は、４という係数を考慮に入れることが可能である。あるいは、割り当て持続時間フィールドは常に、１つのチャネル上での単一のストリーム送信に基づいて計算されることが可能である。そのケースにおいては、ＰＣＰ／ＡＰ１５２０は、割り当てられたデータストリームおよびチャネルに基づいて実際の持続時間を計算することが可能である。
【０１２７】
ＥＳＰＲフレーム１５４５、１５５０を搬送するＰＰＤＵは、レガシＰＰＤＵまたは拡張ＰＰＤＵであることが可能である。レガシＰＰＤＵは、プライマリチャネル上で単一のデータストリームを用いて送信されることが可能である。拡張ＰＰＤＵは、１つまたは複数のチャネル上で１つまたは複数のデータストリームを用いて送信されることが可能である。ＰＣＰ／ＡＰ１５２０にとって複数のチャネルが利用できることが可能である場合には、ＰＰＤＵの送信は、位相回転を伴って、または伴わずにそれぞれのチャネル上で複製されることが可能である。ＰＰＤＵは、単一のデータ送信のために準全方向またはビーム形成された方向を使用して送信されることが可能であり、それは、ＰＣＰ／ＡＰ１５２０とＳＴＡ１５２５との間において前もってトレーニングされておくことが可能である。
【０１２８】
上述されているフィールドおよびサブフィールドは、シャッフルされることが可能である（すなわち、１つのフィールドに関して定義されているサブフィールドが、別のフィールドに含まれることが可能であり、またはフィールドとしてＥＳＰＲフレーム１５４５、１５５０に直接含まれることが可能である）。
【０１２９】
図１６は、同時レガシＰｏｌｌ／ＳＰＲおよびＥＰｏｌｌ／ＥＳＰＲ送信を伴う例示的な拡張ポールおよび要求手順を示している。具体的には、レガシＰｏｌｌ／ＳＰＲフレーム１６３１、１６３６、１６４１、１６４６が、プライマリチャネルまたは１つの空間ストリームを介して送信されることが可能であり、その一方で、ＥＰｏｌｌ／ＥＳＰＲフレーム１６３０、１６３３、１６３５、１６３８、１６４０、１６４３、１６４５、１６４８が、その他のチャネルおよび／またはその他の空間ストリームを介して送信されることが可能である。ポーリング期間（ＰＰ）１６０５の間に、レガシＳＴＡ１６２５が、プライマリチャネルを介してレガシＰｏｌｌフレーム１６３１、１６３６を受信することが可能であり、拡張ＳＴＡ１６２５が、セカンダリチャネルを介してＥＰｏｌｌフレーム１６３０、１６３３、１６３８を受信することが可能である。詳細な手順は、図１５において示され図１５に関して記述されている手順と同様であることが可能である。さらに、図１６において示されている実施形態に関するフレーム構造およびフィールドは、図１５において記述されているフレーム構造およびフィールドと同じまたは同様であることが可能である。
【０１３０】
図１７は、非対称チャネル割り当てを伴う例示的な拡張ポールおよび要求手順を示している。非対称チャネル割り当ては、マルチチャネル送信に伴って可能にされることが可能である。たとえば、プライマリチャネルは、ＳＴＡのペア（たとえば、ＳＴＡ１およびＳＴＡ２）の間においてＳＰ／ＣＢＡＰ１７０５に割り当てられることが可能であり、チャネルのうちの残りは、動的割り当てのために使用されることが可能である。
【０１３１】
ＰＣＰ／ＡＰ１７２５が、１つまたは複数のＳＰを複数のチャネルにわたって割り当てることが可能である。プライマリチャネル上のＳＰは、ＳＴＡ１およびＳＴＡ２に割り当てられることが可能である。セカンダリチャネル上のＳＰは、ソースおよび宛先ＡＩＤを伴ってブロードキャストされることが可能であり、ひいては、それは、動的割り当てのために使用されることが可能である。拡張ＳＴＡ１７３０は、ＳＴＡ１およびＳＴＡ２に加えて、（それらは、動的割り当て用に意図されることが可能である、）セカンダリチャネル上で受信モードにとどまることが可能である。ＰＣＰ／ＡＰ１７２５は、セカンダリチャネル上で動的割り当てを開始することが可能である。ＰＣＰ／ＡＰ１７２５は、ＥＰｏｌｌフレーム１７３５、１７４０をＳＴＡ１７３０へ送信することを開始することが可能であり、ポーリングされていたＳＴＡ１７３０は、ＥＳＰＲフレーム１７４５、１７５０を用いて応答することが可能である。ＰＣＰ／ＡＰ１７３０は次いで、Ｇｒａｎｔ期間（ＧＰ）１７１５の間に、拡張Ｇｒａｎｔ（ＥＧｒａｎｔ）フレームをいくつかのＳＴＡ１７３０へ送信することが可能であり、データ送信１７２０が続くことが可能である。
【０１３２】
図１７において示されている例においては、ＳＰは、プライマリチャネル上で非ＰＣＴ／非ＡＰ  ＳＴＡのペアに割り当てられることが可能である。したがってＰＣＰ／ＡＰ１７２５は、ＰＣＰ／ＡＰ１７２５側において半二重無線機が想定される場合には、セカンダリチャネル上で制限を伴わずに送信および受信を行うことが可能である。ＰＣＰ／ＡＰ１７２５において二重無線機が想定される場合には、プライマリチャネル上での送信は、ＰＣＰ／ＡＰ１７２５と非ＰＣＰ／非ＡＰ  ＳＴＡとの間にあることが可能である。
【０１３３】
図１８は、複数のチャネル上での動的なＳＰ割り当ての例を示している。この例においては、許可期間１８１０およびデータ転送サービス期間１８１５が、複数のチャネルにおけるオペレーション用に拡張されることが可能である。たとえば、ＰＰ１８０５においては、ＳＴＡ１  １８２５は、自身がＳＴＡ２  １８３０と通信することを要求していることをＳＰＲフレームにおいて示しており、Ｅ  ＳＴＡ３  １８３５は、自身がＥ  ＳＴＡ４  １８４０と通信することを要求していることをＳＰＲフレームにおいて示している。Ｅ  ＳＴＡ３  １８３５およびＥ  ＳＴＡ４  １８４０は、ＥＤＭＧ  ＳＴＡであることが可能であり、ＳＴＡ１  １８２５およびＳＴＡ２  １８３０は、ＤＭＧまたはＥＤＭＧ  ＳＴＡであることが可能である。ＧＰ１８１０においては、図１８において示されているように、Ｌ／ＥＧｒａｎｔフレーム１８４５、１８５５、およびＥＧｒａｎｔフレーム１８５０、１８６０は、別々のチャネル上で、ＳＴＡ１  １８２５およびＥ  ＳＴＡ３  １８３５、ならびにＳＴＡ２  １８３０およびＥ  ＳＴＡ４  １８４０へ並列して送られることが可能である。ＳＴＡ１８２５、１８３０、１８３５、１８４０は、許可フレーム１８４５、１８５０、１８５５、１８６０が、それ自体のＭＡＣアドレスにマッチするＲＡを伴って受信されるチャネルに基づいて、割り当てられたチャネル（データ転送１８６５、１８７０用の）を黙示的に得ることが可能である。代替として、または追加として、割り当てられたチャネルは、ＥＧｒａｎｔフレーム１８５０、１８６０において黙示的にシグナリングされることが可能である。このケースにおいては、割り当てられたチャネルは、ＥＧｒａｎｔフレーム１８５０、１８６０を搬送するチャネルと同じであること、または異なることが可能である。さらに、ＥＧｒａｎｔフレーム１８５０、１８６０は、複数のチャネルを割り当てることが可能であり、チャネルボンディングまたはアグリゲーションが割り当てにおいて使用されることになるかどうかを示すことが可能である。データ転送サービス期間１８１５において、ＳＴＡ１８２５、１８３０、１８３５、１８４０は、図１８において示されているように、割り当てられたチャネルおよび持続時間を使用して、データ転送１８６５、１８７０、および肯定応答１８７５、１８８０を実行することが可能である。
【０１３４】
ブロードキャストされたＡＩＤに等しい宛先およびソースＡＩＤの両方を伴う、または１に等しいＣＢＡＰのみのフィールドを伴うスケジュールされたＳＰ／ＣＢＡＰにおいては、チャネルアクセスは、プライマリチャネルを含むことを必要とすることが可能である。しかしながら、これは、動的割り当てがそのようなＳＰ／ＣＢＡＰにおいて実行される場合には、ＥＧｒａｎｔフレーム１８５０、１８６０によって許可された割り当てに当てはまらないことが可能である。
【０１３５】
別々のチャネル上での時間割り当ては、等しい持続時間であることを必要とされることが可能であり、それによってＡＰまたはＰＣＰ／ＡＰ１８２０は、複数のチャネル上でその後のＧＰ１８１０を同時に開始することが可能である。プライマリチャネルまたはセカンダリチャネルのいずれかの上での割り当てを伴うＥＤＭＧ  ＳＴＡ１８３５、１８４０が、ＡＰまたはＰＣＰ／ＡＰ１８２０によって制御されないその他のＳＴＡのアクセスを防止するために、動的割り当ての終わりまでその送信に対してパディングを行うことが必要とされることが可能である。
【０１３６】
ＡＰまたはＰＣＰ／ＡＰ１８２０は、ＰＰ１８０５またはＧＰ１８１０が発生することが可能であるＳＰまたはＣＢＡＰにおいて特定の持続時間においてプライマリチャネルおよびセカンダリチャネルの両方をモニタするようにＥＤＭＧ  ＳＴＡ１８３５、１８４０を構成することが可能である。この構成は、事前に複数のチャネルをモニタする目的でＳＴＡ１８２５、１８３０、１８３５、１８４０を準備するためにチャネルボンディングウェイクアップと同様のセットアップフレームを用いて行われることが可能である。ＰＰ１８０５においては、Ｐｏｌｌ／ＳＰＲフレームが、別々のチャネル上で別々のＳＴＡ１８２５、１８３０、１８３５、１８４０へ／から並列して送られることが可能であるが、ＡＰまたはＰＣＰ／ＡＰ１８２０は、任意のチャネルにおけるＳＰＲフレームの受信の始まりと、その他の任意のチャネルにおけるＰｏｌｌフレームの送信の終わりとの間において適切な間隔が保持されるように応答オフセットを設定することを必要とするであろう。
【０１３７】
あるいは、ＥＤＭＧ  ＳＴＡ１８３５、１８４０が、動的割り当てが使用されることが可能であるＳＰ／ＣＢＡＰにおいてプライマリチャネルをモニタすることを必要とされるだけであることが可能である。それは、それが、ＥＤＭＧ  ＳＴＡ１８３５、１８４０へアドレス指定されているプライマリチャネル上で送られたＰｏｌｌフレーム、またはマルチチャネル送信を示すＥＤＭＧヘッダ−Ａを伴ってプライマリチャネル上で送られたフレームを受信した場合には、プライマリチャネルおよびセカンダリチャネルの両方の上で動作するように切り替わることが可能である。ＥＤＭＧ  ＳＴＡ１８３５、１８４０へアドレス指定されているプライマリチャネル上でＰｏｌｌフレームが送られるシナリオに関しては、Ｐｏｌｌフレームは、プライマリチャネル上で送られることが可能であり、セカンダリチャネル上で複製されることが可能であり、その一方で、ＥＤＭＧ  ＳＴＡ１８３５、１８４０からのＳＰＲまたはＥＳＰＲフレームは、セカンダリチャネル上で送られることが可能である。Ｐｏｌｌフレームは、ＳＴＡ１８２５、１８３０、１８３５、１８４０がそのＰｏｌｌフレームに応答するためにはどのセカンダリチャネルを使用するべきかを示すであろう。フレームが、マルチチャネル送信を示すＥＤＭＧヘッダ−Ａを伴ってプライマリチャネル上で送られるシナリオに関しては、そのフレームは、ＥＤＭＧ  ＳＴＡ１８３５、１８４０へアドレス指定されているＰｏｌｌフレームであることが可能であり、またはそうでないことも可能であるが、ＥＤＭＧ  ＳＴＡ１８３５、１８４０によって受信されることを必要とすることが可能である。ＥＤＭＧ  ＳＴＡ１８３５、１８４０へ送信されたＰｏｌｌフレームは、セカンダリチャネル上でのみ受信されることが可能である。ＥＤＭＧ  ＳＴＡ１８３５、１８４０は、それが、いずれの受信されたポールフレームにおいてもアドレス指定されていない場合には、プライマリチャネルをモニタすることへ切り替えて戻ることが可能である。このケースにおいては、Ｐｏｌｌフレームは、周波数分割多元接続（ＦＤＭＡ）ＰＰＤＵにおいて送信されることが可能である。
【０１３８】
別々のチャネルが別々のＳＴＡに割り当てられているいずれの時点においても、ＡＰに設定されている宛先ＡＩＤを１つの割り当てのみが有することが可能であることが必要とされることが可能である。ＡＰに設定されている宛先ＡＩＤを有する動的割り当てがプライマリチャネルを含まなければならないことが必要とされることが可能である。たとえば、宛先としてのＡＰを有する割り当てがプライマリチャネルを含まない場合には、ＡＰがセカンダリチャネル上で受信を行っているときに、プライマリチャネルの割り当てが、プライマリチャネル上での割り当てられるソースまたは宛先ＳＴＡのいずれかによって切り捨てられることが可能であることが可能である。このケースにおいては、ＡＰは、ＳＰ切り捨ての後に、かつセカンダリチャネル上でのデータ転送が終了される前にプライマリチャネル上で受信されたフレームに応答することができないことが可能である。
【０１３９】
別々のＳＴＡに対する許可フレームが別々のチャネル上で同時に送信される場合には（たとえば、図１８において示されているように）、宛先としてのＡＰを有する割り当てを搬送するＧｒａｎｔフレームの持続時間は、その他のチャネル上でのＧｒａｎｔフレーム送信の持続時間をカバーするために通常よりも長く設定されることを必要とすることが可能であり、それによってＡＰへのデータ転送は、すべてのチャネル上でＧｒａｎｔプロセスが終了されるまで開始しないことが可能である。
【０１４０】
ブロードキャストされたＡＩＤに等しい宛先およびソースＡＩＤの両方を伴う、または１に等しいＣＢＡＰのみのフィールドを伴うスケジュールされたＳＰ／ＣＢＡＰにおいては、チャネルアクセスは、プライマリチャネルを含むべきである。これは、コンテンションベースのアクセスに参加しているＳＴＡが、プライマリチャネル上で完全なクリアチャネル評価（ＣＣＡ：full clear channel assessment）およびネットワーク割り当てベクトル（ＮＡＶ）手順を実行することを必要とされるだけであることが可能であることに起因して、必要とされることが可能である。
【０１４１】
プライマリおよびセカンダリチャネルが動的割り当てにおいて別々のＳＴＡに割り当てられていることに伴って、動的割り当てに参加していないＥＤＭＧ  ＳＴＡは、（１）プライマリチャネル上での動的に割り当てられたＳＰが切り捨てられた場合、（２）ＳＴＡが、プライマリチャネル上で割り当てられたＳＴＡのペアの間における指向送信を聞き取っていない場合、および／または（３）ＳＴＡが、ＰＩＦＳ持続時間の間にセカンダリチャネル上で送信機からの聞き取りを行っていない場合には、プライマリおよびセカンダリチャネルの両方の上でチャネルアクセスを実行することが可能である。これがプライマリチャネルに影響を与えないことが可能である間に（完全なＣＣＡおよびＮＡＶ手順が実行されるので）、セカンダリチャネル上の受信側ＳＴＡが干渉されることが可能である。
【０１４２】
Ｇｒａｎｔフレームがセカンダリチャネル上で動的なＳＰを割り当てた後に、かつプライマリチャネル上でデータ転送が発生する前に、データ転送用のアンテナ構成を使用して、セカンダリチャネル上で割り当てられたソースＳＴＡと宛先ＳＴＡとの間においてプライマリチャネル上でショートフレームのやり取りが実行されることが可能である。フレームのやり取りは、持続時間設定を搬送することが可能であり、それによって、動的割り当てに参加していないＥＤＭＧ  ＳＴＡは、ＮＡＶを設定すること、およびセカンダリチャネル上で動的なＳＰの持続時間の間にチャネルアクセスを実行しないことが可能である。このショートフレームのやり取りは、前のＧＰ（これは、ショートフレームをやり取りするＳＴＡペアのためにセカンダリチャネル上で動的なＳＰを割り当てることも可能である）と、プライマリチャネルデータ転送を割り当てる後のＧＰとの間にあることが可能である。あるいは、このショートフレームのやり取りは、（たとえば、図１８において示されているように）すべてのチャネルにＳＰを割り当てるＧＰのすぐ後に、ただしプライマリチャネル上でのデータ転送の前にあることが可能である。このケースにおいては、プライマリチャネル上で送られる許可フレームの持続時間は、データ転送をショートフレームのやり取りの後まで遅延させるために、より長い値に設定されることを必要とすることが可能である。
【０１４３】
セカンダリチャネル上での動的なＳＰの終了時間は、プライマリチャネル上での動的なＳＰの終了時間よりも小さくなるように（割り当て持続時間を介して）設定されることが可能である。別々のセカンダリチャネル上で割り振られたＳＴＡペアは、同じ持続時間情報を搬送する同じフレームを用いて、プライマリチャネル上で同時にショートフレームのやり取りを実行することが可能である。
【０１４４】
レガシＳＴＡおよび／または拡張ＳＴＡの間における送信は、レガシＧｒａｎｔフレームによって許可されることが可能であり、その一方で、拡張ＳＴＡの間における送信は、拡張Ｇｒａｎｔフレーム（ＥＧｒａｎｔ）によって許可されることが可能である。ＥＧｒａｎｔフレームは、複数のチャネルを介した送信またはＭＩＭＯを使用する送信を割り当てるために使用されることが可能である。ＥＧｒａｎｔフレームは、ＭＩＭＯまたは複数のチャネルを介した送信をセットアップするための必要な情報（たとえば、アナログビーム／セクタ情報、ビーム／セクタ割り当て情報、デジタルプリコーディングスキーム、またはチャネル割り当て）を搬送することが可能である。
【０１４５】
図１９は、第１の例示的な許可手順を示している。この例においては、ＰＣＰ／ＡＰが、ＳＰまたはＣＢＡＰを介して動的割り当てを実行することが可能である。ＰＣＰ／ＡＰは、ＰＰ１９０５の間にＳＴＡに対してポーリングを行い、ＳＴＡから要求を受信することが可能である（このステップは、任意選択であることが可能である）。以前に送信されたアップリンク要求に基づいて、ＰＣＰ／ＡＰは、時間リソースをＳＴＡに割り当てることが可能である。ＧＰ１９１０の間に１つまたは複数のレガシＧｒａｎｔフレームが送信されることが可能であり、データ転送期間１９１５の間にレガシデータ送信が続くことが可能である。次いで、拡張ＳＴＡにリソースを割り当てるために、ｅＧＰ１９２０の間に１つまたは複数のＥＧｒａｎｔフレームが送信されることが可能である。データ転送期間１９２５においてデータ送信が続くことが可能である。ここでは、ｅＧＰ１９２０によって割り当てられるデータ送信は、レガシデータ送信および／または拡張データ送信であることが可能である。
【０１４６】
図２０は、第２の例示的な許可手順を示している。図２０において示されている手順は、図１９の手順と同様であるが、ただし、第２の例示的な許可手順においては、ＰＰ２００５の後に、ｅＧＰ２０１０および対応するデータ転送期間２０１５が、ＧＰ２０２０および対応するデータ転送期間２０１５の前に実行されることが可能である。
【０１４７】
図２１は、ｅＧＰ２１１０および対応するＤＬデータ転送期間２２１５内の例示的な下位互換送信を示している。この例においては、ＰＣＰ／ＡＰ２１２０が、ＰＰ２１０５の間に前もって送信されていたＰｏｌｌフレームまたはＥＰｏｌｌフレームを伴って、または伴わずにｅＧＰ２１１０を開始することが可能である。さらに、ｅＧＰ２１１０においては、レガシＧｒａｎｔフレーム２１３５およびＥＧｒａｎｔフレーム２１３６の両方が同時に送信されることが可能である。たとえば、Ｇｒａｎｔフレーム２１３５およびＥＧｒａｎｔフレーム２１３６は、複数のチャネルを介して同時に送信されることが可能である。このケースにおいては、Ｅ  ＳＴＡ２  ２１３０などの拡張デバイスが、すべてのチャネルをモニタすること、および非プライマリチャネルを介して送信されたＥＧｒａｎｔフレーム２１３６を受信すると予想することが可能である。あるいは、ＰＣＰ／ＡＰ２１２０は、Ｅ  ＳＴＡ２  ２１３０が以前にＰｏｌｌ／ＳＰＲフレームまたはＥＰｏｌｌ／ＥＳＰＲフレームを通じて送信時間を要求した同じチャネル上でＥ  ＳＴＡ２  ２１３０へＥＧｒａｎｔフレーム２１３６を送信することが可能である。したがって、いずれのケースにおいても、拡張ＳＴＡ（たとえば、Ｅ  ＳＴＡ２  ２１３０）は、それが以前にＳＰＲフレームまたはＥＳＰＲフレームを送信したチャネルをモニタすることが可能である。実施形態においては、Ｇｒａｎｔフレーム２１３５およびＥＧｒａｎｔフレーム２１３６は、ＭＩＭＯを使用して複数のストリームを介して送信されることが可能である。上述の手順は、レガシＳＴＡ（たとえば、ＳＴＡ１  ２１２５）および拡張ＳＴＡ（たとえば、Ｅ  ＳＴＡ２  ２１３０）の共存を伴って実施されることが可能であることに留意されたい。いくつかの実施形態においては、それは、（１）レガシＳＴＡ（たとえば、ＳＴＡ１  ２１２５）を、拡張ＳＴＡ（たとえば、Ｅ  ＳＴＡ２  ２１３０）と、（２）レガシＧｒａｎｔフレーム２１３５をＥＧｒａｎｔフレーム２１３６と、（３）レガシデータフレーム２１４０を、拡張データフレーム２１４１と、および（４）レガシＡＣＫ２１４５を、拡張ＡＣＫ２１５０と置き換えることによって、拡張ＳＴＡ（たとえば、Ｅ  ＳＴＡ２  ２１３０）に対して使用されることが可能である。
【０１４８】
上述されているＧｒａｎｔフレーム２１３５およびＥＧｒａｎｔフレーム２１３６の送信は、そろえられることが可能である。たとえば、必要な場合には、送信が等しい持続時間を有するようにさせるために、パケットがパディングされることが可能である。
【０１４９】
実施形態においては、ｅＧＰ２１１０の間にＥＧｒａｎｔフレーム２１３６のみが送信されることが可能である。このケースにおいては、情報を複数のＳＴＡ２１２５、２１３０へ搬送する同じＥＧｒａｎｔフレーム２１３６が、ＭＩＭＯストリームおよび／または複数のチャネルを介して繰り返されることが可能である。代替として、または追加として、ユーザ固有のＥＧｒａｎｔフレーム２１３６が、複数の空間ストリームおよび／または複数のチャネルを介して送信されることが可能である。
【０１５０】
Ｇｒａｎｔフレーム２１３５またはＥＧｒａｎｔフレーム２１３６のｘＩＦＳ持続時間後に、データ送信期間（またはデータ転送期間）２１１５が続くことが可能である。データ送信２１１５は、レガシデータフレーム（すなわちＤａｔａ１）２１４０および拡張データフレーム（すなわちｅＤａｔａ２）２１４１送信から構成されることが可能である。レガシデータフレーム２１４０および拡張データフレーム２１４１は、Ｇｒａｎｔフレーム２１３５およびＥＧｒａｎｔフレーム２１３６のための送信と同様にＭＩＭＯまたは複数のチャネルを介して送信されることが可能である。
【０１５１】
データ送信のｘＩＦＳ持続時間後に、ＳＴＡ２１２５、２１３０は、肯定応答フレーム（すなわちＡＣＫ１およびｅＡＣＫ２）２１４５、２１５０をＰＣＰ／ＡＰ２１２０へ返信することが可能である。実施形態においては、ＳＴＡ２１２５、２１３０は、肯定応答フレーム２１４５、２１５０を、ＭＩＭＯまたは複数のチャネルを介して同時に送信することが可能である。別の実施形態においては、ＳＴＡ２１２５、２１３０は、ポールベースのスキームを使用して肯定応答フレーム２１４５、２１５０を送信することが可能である。第１のポールは省略されることが可能である。なぜなら、ＤＬデータ送信が第１のポールとして扱われることが可能であるからである。
【０１５２】
図２２は、ｅＧＰ２２１０および対応するＵＬデータ転送期間２２１５内での例示的な下位互換送信を示している。手順またはｅＧＰ２２１０は、図２１において記述されている例と同じまたは同様であることが可能である。たとえば、ｅＧＰ２２１０の間に、Ｇｒａｎｔフレーム２２３５およびＥＧｒａｎｔフレーム２２４０が、上述されているように複数のチャネルまたは複数の空間ストリームを介して送信されることが可能である。しかしながら、対応するデータ送信、Ｄａｔａ  １  ２２４５、およびｅＤａｔａ２２５０は、複数の空間ストリームおよび／または複数のチャネルを介したＵＬマルチユーザ送信であることが可能である。ＭＵ  ＡＣＫ２２５５が、ＳＴＡ２２２５、２２３０へのＵＬデータ送信のための肯定応答としてＰＣＰ／ＡＰ２２２０によって送信されることが可能である。
【０１５３】
図２３は、制御トレーラ２３４５を使用したｅＧＰ２３１０内での例示的な下位互換送信を示している。この例においては、ＰＣＰ／ＡＰ２３２５が、Ｇｒａｎｔフレーム２３４０を複数のＳＴＡ２３３０、２３３５へ送信することが可能である。ＳＴＡのうちの１つは、レガシＳＴＡ（すなわちＳＴＡ１）２３３０であることが可能であり、残りのＳＴＡは、拡張ＳＴＡ（すなわちＥ  ＳＴＡ２）２３３５であることが可能である。レガシＳＴＡ２３３０は、レガシＧｒａｎｔフレーム２３４０および制御トレーラ２３４５を受信することが可能であるが、それは、レガシＧｒａｎｔフレーム２３４０を復号することのみが可能である。拡張ＳＴＡ２３３５は、レガシＧｒａｎｔフレーム２３４０および制御トレーラ２３４５を受信することも可能であり、データ転送期間２３２０の間に両方を復号することが可能である。レガシＧｒａｎｔフレーム２３４０は、ＭＡＣボディーにおいて送信されることが可能であり、その一方で制御トレーラ２３４５は、それに付加されることが可能である。制御トレーラ２３４５は、拡張ＳＴＡ２３３５に関する割り当て情報およびＭＩＭＯ／マルチチャネルセットアップ情報を含むことが可能である。具体的には、制御トレーラ２３４５は、チャネルアグリゲーション、帯域幅、チャネル番号、ＳＵ／ＭＵ  ＭＩＭＯ、アンテナ構成などに関するいくつかのフィールドを含むことが可能である。
【０１５４】
図２４は、ＳＴＡがＭＩＭＯおよびマルチチャネル送信を実行することを可能にする例示的な動的割り当て手順を示している。図２４において示されているように、ステップ２４１０において、ＳＴＡは、ＳＴＡからのＭＩＭＯおよび／またはマルチチャネル送信を可能にするための時間オフセット、チャネルオフセット、アンテナ設定、およびセクタ設定を含むポールフレームをアクセスポイント（ＡＰ）から受信することが可能である。ポールフレームは、応答オフセットフィールド、チャネルオフセットフィールド、応答アンテナ設定フィールド、応答セクタ設定フィールドなどを含む拡張ポールフレームであることが可能である。応答オフセットフィールドは、ポールフレームとＳＰＲフレームとの間におけるタイムピリオドを示す時間オフセットを含むことが可能である。具体的には、ＳＴＡは、応答オフセットフィールドにおいて示されている持続時間の後にポールフレームに応答してＳＰＲフレームを送信することが可能である。チャネルオフセットフィールドは、ポールフレームに応答してＳＰＲフレームが送信される１つまたは複数のチャネルを示すチャネルオフセットを含むことが可能である。応答アンテナ設定フィールドは、ポールフレームに応答してＳＰＲフレームが送信されるアンテナ構成を示すアンテナ設定を含むことが可能である。応答セクタ設定フィールドは、ＳＰＲフレームが送信されるアンテナのセクタを示すセクタ設定を含むことが可能である。
【０１５５】
ステップ２４２０において、ＳＴＡは、ポールフレームに基づいてサービス期間要求（ＳＰＲ）フレームをＡＰへ送信することが可能である。ＳＰＲフレームは、ＭＩＭＯ制御フィールド、マルチチャネル制御フィールド、ＭＵ／ＳＵ制御フィールド、割り当て持続時間フィールドなどを含む拡張ＳＰＲフレームであることが可能である。ＭＩＭＯ制御フィールドは、ＳＴＡがＭＩＭＯをサポートしているかどうかを示すためのＭＩＭＯがサポートされるサブフィールドを含むことが可能である。ＭＩＭＯ制御フィールドは、要求されている割り当てにおいて使用されることになるデータストリームの提案される数を示すためのデータストリーム数サブフィールドをさらに含むことが可能である。マルチチャネル制御フィールドは、ＳＴＡがチャネルアグリゲーションまたはチャネルボンディングをサポートしているかどうかを示すためのチャネルアグリゲーションサブフィールドを含むことが可能である。ＭＵ／ＳＵ制御フィールドは、ＳＴＡが、要求されている割り当てに関してＭＵまたはＳＵをサポートしているかどうかを示すことが可能である。割り当て持続時間フィールドは、マルチチャネルを伴う複数のデータストリームまたは単一のチャネルを伴う単一のデータストリームに基づいて計算されることが可能である。ＳＰＲフレームは、ポールフレームにおいて示されているチャネルオフセットに基づいて単一のまたは複数のデータストリームを用いて送信されるＰＰＤＵにおいて搬送されることが可能である。ＰＰＤＵは、ポールフレームにおいて示されているアンテナおよびセクタ設定に基づいて準全方向またはビーム形成された方向を使用して送信されることが可能である。
【０１５６】
ステップ２４３０において、ＳＴＡは、許可期間の間にＡＰから許可フレームを受信することが可能である。許可フレームは、ＳＴＡがＭＩＭＯ送信およびマルチチャネル送信を実行することを可能にするためのアンテナ構成およびマルチチャネル割り当てを含む拡張許可フレームであることが可能である。許可フレームは、レガシ許可フレームと、そのレガシ許可フレームに付加されている制御トレーラとを含むことが可能である。実施形態においては、許可フレームは、データフィールドと、そのデータフィールドの後に挿入されている制御トレーラとを含むＰＰＤＵを含むことが可能である。ＭＩＭＯおよびマルチチャネル送信のためのアンテナ構成およびマルチチャネル割り当ては、制御トレーラにおいて搬送されることが可能である。ステップ２４４０において、ＳＴＡは、許可フレームにおけるアンテナ構成およびマルチチャネル割り当てに基づいてＭＩＭＯおよび／またはマルチチャネルを使用してその他のＳＴＡまたはＡＰへデータを送信することが可能である。
【０１５７】
特徴および要素が特定の組合せで上述されているが、それぞれの特徴または要素は、単独で、またはその他の特徴および要素との任意の組合せで使用されることが可能であることを当技術分野における標準的な技術者なら理解するであろう。加えて、本明細書において記述されている方法は、コンピュータまたはプロセッサによって実行するためにコンピュータ可読媒体に組み込まれているコンピュータプログラム、ソフトウェア、またはファームウェアで実施されることが可能である。コンピュータ可読媒体の例は、（有線接続または無線接続を介して送信される）電子信号、およびコンピュータ可読ストレージ媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、光磁気媒体、ならびに、ＣＤ−ＲＯＭディスクおよびデジタル多用途ディスク（ＤＶＤ）などの光媒体を含むが、それらには限定されない。ＷＴＲＵ、ＵＥ、端末、基地局、ＲＮＣ、または任意のホストコンピュータにおいて使用するための無線周波数送受信機を実施するために、ソフトウェアに関連付けられているプロセッサが使用されることが可能である。
【図１Ａ】
2020174377.tif 000003
【図１Ｂ】
2020174377.tif 000004
【図１Ｃ】
2020174377.tif 000005
【図１Ｄ】
2020174377.tif 000006
【図２】
2020174377.tif 000007
【図３】
2020174377.tif 000008
【図４】
2020174377.tif 000009
【図５】
2020174377.tif 000010
【図６】
2020174377.tif 000011
【図７】
2020174377.tif 000012
【図８Ａ】
2020174377.tif 000013
【図８Ｂ】
2020174377.tif 000014
【図９】
2020174377.tif 000015
【図１０】
2020174377.tif 000016
【図１１】
2020174377.tif 000017
【図１２】
2020174377.tif 000018
【図１３】
2020174377.tif 000019
【図１４】
2020174377.tif 000020
【図１５】
2020174377.tif 000021
【図１６】
2020174377.tif 000022
【図１７】
2020174377.tif 000023
【図１８】
2020174377.tif 000024
【図１９】
2020174377.tif 000025
【図２０】
2020174377.tif 000026
【図２１】
2020174377.tif 000027
【図２２】
2020174377.tif 000028
【図２３】
2020174377.tif 000029
【図２４】
2020174377.tif 000030